(57)【要約】【課題】ユーザ間のコミュニケーションにおいて興趣性やそれを実現するツールの利用に関するモチベーションを高め、かつ、当該コミュニケーションの活性化やそのサポートを実現することが可能な表示制御システムなどを提供すること。【解決手段】通信サーバ装置１０は、端末装置２０に入力されたユーザのコメントをテキスト化したコメントデータを受け付けると、受け付けたコメントデータについて所与の処理を実行してキーワードを抽出し、抽出したキーワードに基づいて、所与のネットワーク上にアクセス可能に記憶されているデータを検索する検索処理を実行し、受け付けたコメントデータのコメントなど掲示情報を各端末装置２０に形成された第１表示領域に表示させるとともに、検索処理によって検索された検索結果を、掲示情報として、各端末装置２０に形成された第１表示領域とは異なる第２表示領域に表示させる、構成を有している。【選択図】図２
2019087138.tif 000002
【特許請求の範囲】
【請求項１】
複数のユーザのコメントを表示領域に可視化して表示させて前記ユーザ間で共有するためのプログラムであって、
各ユーザによって入力された情報をコメントデータとして受け付ける受付手段、
前記受け付けられたコメントデータから特徴部分を抽出する抽出手段、
前記抽出された特徴部分に基づいて、所与のネットワーク上にアクセス可能に記憶されているデータを検索する検索処理を実行する検索手段、及び、
前記受け付けられたコメントデータ、当該コメントデータの一部及び前記抽出された特徴部分の中から少なくともいずれかを入力画像として第１表示領域に表示させるとともに、前記検索処理によって検索された検索結果を第２表示領域に表示させる表示制御手段、としてコンピュータを機能させることを特徴とするプログラム。
【請求項２】
請求項１に記載のプログラムにおいて、
前記表示制御手段が、
前記入力画像を、前記コメントデータを入力したユーザに対応付けて前記第１表示領域に表示させる、プログラム。
【請求項３】
請求項１又は２に記載のプログラムにおいて、
前記検索手段が、
前記所与の検索処理として、前記抽出された特徴部分を示す基準用特徴部分から所与の条件を具備する検索に用いる特徴部分を、検索用特徴部分として、特定し、かつ、当該特定した検索用特徴部分によって検索を実行する、プログラム。
【請求項４】
請求項１〜３のいずれか１項に記載のプログラムにおいて、
前記検索処理によって検索された検索結果に基づいて音の演出を実行する演出制御手段を更に備える、プログラム。
【請求項５】
請求項１〜４のいずれか１項に記載のプログラムにおいて、
前記表示制御手段が、
（Ａ）前記ネットワーク上にデータとして記憶されているテキスト、
（Ｂ）前記ネットワーク上にデータとして記憶されている画像、及び、
（Ｃ）前記検索処理に基づいて予めデータベースに記憶された画像の中から選択し、かつ、当該選択した画像、
の少なくともいずれかを、当該検索結果として、前記第２表示領域に表示させる、プログラム。
【請求項６】
請求項１〜５のいずれか１項に記載のプログラムにおいて、
前記表示制御手段が、
前記検索処理によって検索された検索結果を、所与のタイミングから前記第２表示領域における表示を開始させる、プログラム。
【請求項７】
請求項６に記載のプログラムにおいて、
前記表示制御手段が、
前記検索処理によって検索された検索結果を、前記所与のタイミングから所与の期間の終了後まで、前記第２表示領域に表示させる、プログラム。
【請求項８】
請求項１〜７のいずれか１項に記載のプログラムにおいて、
前記第２表示領域に表示された検索結果を前記ユーザに選択させるための選択制御手段を更に備え、
前記検索手段が、
前記ユーザによって選択された検索結果を検索キーとして更に前記検索処理を実行する、プログラム。
【請求項９】
請求項１〜８のいずれか１項に記載のプログラムにおいて、
前記表示制御手段が、
前記検索手段によって以前に検索された検索結果と同一の前記検索結果が得られた場合には、当該検索結果について特別な表示制御を実行する、プログラム。
【請求項１０】
請求項２に記載のプログラムにおいて、
前記表示制御手段が、
前記入力画像を、前記コメントデータを入力したユーザの実空間上の実在領域に関連させた前記第１表示領域に投影することによって表示させる、プログラム。
【請求項１１】
請求項１〜１０のいずれか１項に記載のプログラムにおいて、
前記検索手段が、
前記抽出手段によって複数の前記特徴部分が抽出された場合には、当該複数の特徴部分に基づいて複合的に前記検索処理を再度実行する、プログラム。
【請求項１２】
請求項１〜１１のいずれか１項に記載のプログラムにおいて、
前記表示制御手段が、
前記検索結果を、前記入力画像の表示タイミングとは異なるタイミングで前記第２表示領域に表示させる、プログラム。
【請求項１３】
請求項１〜１２のいずれか１項に記載のプログラムにおいて、
前記ユーザが有する通信端末装置とデータ通信を行う通信手段を制御する通信制御手段を更に備え、
前記表示制御手段が、
前記入力画像を、前記通信端末装置の表示領域内に形成された前記第１表示領域に表示させる表示制御データを生成し、
前記検索処理によって検索された検索結果を、前記通信端末装置の表示領域内に形成された前記第２表示領域への所与のタイミングからの表示を開始させる表示制御データを生成し、
前記通信制御手段が、
前記生成された表示制御データを前記通信端末装置に送信させる、プログラム。
【請求項１４】
請求項１〜１２のいずれか１項に記載のプログラムにおいて、
前記表示制御手段が、
実空間の所与の領域を示す投影領域に含まれる前記第１表示領域及び第２表示領域に、前記入力画像又は前記検索結果を表示させる、プログラム。
【請求項１５】
複数のユーザのコメントを表示領域に可視化して表示させて前記ユーザ間で共有する表示制御システムであって、
各ユーザによって入力された情報をコメントデータとして受け付ける受付手段と、
前記受け付けられたコメントデータから特徴部分を抽出する抽出手段と、
前記抽出された特徴部分に基づいて、所与のネットワーク上にアクセス可能に記憶されているデータを検索する検索処理を実行する検索手段と、
前記受け付けられたコメントデータ、当該コメントデータの一部及び前記抽出された特徴部分の中から少なくともいずれかを入力画像として第１表示領域に表示させるとともに、前記検索処理によって検索された検索結果を第２表示領域に表示させる表示制御手段と
、
を備えることを特徴とする表示制御システム。
【発明の詳細な説明】
【技術分野】
【０００１】
本発明は、表示制御システム及びプログラムなどに関する。
【背景技術】
【０００２】
近年、ＷＷＷ（Ｗｏｒｌｄ  Ｗｉｄｅ  Ｗｅｂ、以下、「Ｗｅｂ」ともいう。）ブラウザ（以下、「Ｗｅｂブラウザ」という。）などのように、ユーザによって、ＰＣ，スマートフォンやタブレットなどの情報端末装置においてＷＥＢ上のアドレスが入力されると、サーバ装置などの外部システムと通信を実行し、入力したアドレスに対応するファイルを外部システムから取得してページ画像として描画し、表示部に表示させるブラウザシステムが一般化している。
【０００３】
特に、最近では、所定の情報に基づいて検索されたＷｅｂページの画像をテクスチャにしてゲーム空間上のオブジェクトにマッピングしてゲーム画像として利用するものも知られている（例えば、特許文献１）。
【先行技術文献】
【特許文献】
【０００４】
【特許文献１】特許４２４０２９３号公報
【発明の概要】
【発明が解決しようとする課題】
【０００５】
しかしながら、上記特許文献１に記載のシステムにあっては、所定の情報に基づく検索結果を用いてゲームの興趣性を向上させているものの、当該検索結果をゲームに利用する点に限定しており、例えば、ユーザ間のコミュニケーションツールに利用可能な仕様となっておらず、ユーザ間のコミュニケーションの活性化やそのサポートに用いるためには、改良の余地がある。
【０００６】
本発明は、上記課題を解決するためになされたものであり、その目的は、チャットなどのユーザ間のコミュニケーションにおいて、ユーザのコメントに基づく検索結果を利用することによって、コミュニケーションにおけるユーザの興趣性やそれを実現するツールの利用に関するモチベーションを高めること、及び、その結果、当該コミュニケーションの活性化やそのサポートを実現することが可能な表示制御システムなどを提供することにある。
【０００７】
また、本発明は、その他の目的として、会議などのイベント参加中のユーザ間のコミュニケーションにおいて、ユーザのコメントに基づく検索結果を利用することによって、ユーザ間のイメージを共有し、かつ、新規なアイデアの着想を提供すること、及び、その結果、コミュニケーションの活性化やそのサポートを実現することが可能な表示制御システムなどを提供することにある。
【課題を解決するための手段】
【０００８】
（１）上記課題を解決するため、本発明のプログラムは、
複数のユーザのコメントを表示領域に可視化して表示させて前記ユーザ間で共有するためのプログラムであって、
各ユーザによって入力された情報をコメントデータとして受け付ける受付手段、
前記受け付けられたコメントデータから特徴部分を抽出する抽出手段、
前記抽出された特徴部分に基づいて、所与のネットワーク上にアクセス可能に記憶され
ているデータを検索する検索処理を実行する検索手段、及び、
前記受け付けられたコメントデータ、当該コメントデータの一部及び前記抽出された特徴部分の中から少なくともいずれかを入力画像として第１表示領域に表示させるとともに、前記検索処理によって検索された検索結果を第２表示領域に表示させる表示制御手段、としてコンピュータを機能させる、構成を有している。
【０００９】
この構成により、本発明は、ユーザによって入力された情報だけでなく、それに基づいて検索された結果をコメントなどのユーザによって入力された情報とともに表示し、それをユーザ間のコミュニケーションとして利用することができるので、当該コミュニケーションを活性化させ、かつ、当該コミュニケーションにおけるサポートを実現することができる。
【００１０】
例えば、本発明は、ユーザが有する通信端末装置を用いてユーザ間のコミュニケーションを実施するチャットなどのコミュニケーションツールとして用いる場合には、ユーザによって入力された情報に関する画像や当該コミュニケーションにおいて話題となっているトピックに関する画像を表示することができるので、新規なトピックを提供し、又は、話題として挙がっているトピックを発展させるなど、コミュニケーションにおけるユーザの興趣性を高め、かつ、当該コミュニケーションの利用に関するモチベーションを高めることができる。
【００１１】
また、例えば、本発明は、テレビ会議やネットワークを用いた会議を含む画像を利用した会議システムなどの会議中のコミュニケーションツールとして用いる場合には、ユーザによって入力された情報に関する画像や当該コミュニケーションにおいて話題となっているトピックに関する画像を表示することができるので、ユーザ間でのコメント内容におけるイメージを共有し、又は、新規なアイデアの着想を提供することができる。
【００１２】
したがって、本発明は、データ通信を用いたユーザ間のコミュニケーションやイベント参加時のユーザ間のコミュニケーションの活性化を図り、かつ、当該コミュニケーションのサポートを実現することができる。
【００１３】
なお、「所与のネットワーク」としては、インターネットなどのグローバルネットワークであってもよいし、アクセスが制限されている地域ネットワークや所定の組織内におけるプライベートネットワークであってもよい。
【００１４】
そして、「受付手段」としては、例えば、マイクなどの音声入力用のデバイスを介して集音されたユーザの音声信号を受け付ける手段、又は、キーボードなどのテキスト入力を受け付けるタッチパネルやその他の入力操作手段を介して入力されたテキストを受け付ける手段が含まれる。
【００１５】
また、コメントデータには、テキストを含むテキストデータのみならず、画像などの各種の情報を含み、特徴部分は、コメントデータがテキストデータの場合には、例えば、「キーワード」を示し、当該コメントデータが画像データである場合には、例えば、画像を構成する「画像特徴量」を示す。
【００１６】
さらに、コメントデータから特徴部分としてのキーワードを抽出する際には、例えば、（１Ａ）辞書データを用いて動詞、助詞や名詞などの品詞の特定及び最小単位の言語（形態素）の抽出をしてその名詞などの単語を特定する形態素解析、
（１Ｂ）当該形態素のランキング（例えば、登場回数など）に基づくトピックの動向（すなわち、コミュニケーション中の話題のトピックの抽出）の解析、及び、
（１Ｃ）トピックに対して係り受けの集計や分析をして当該トピックに関する状況（例え
ば、トピックに関する意見）を抽出する構文解析
などの言語処理を実行して抽出する。ただし、キーワードを抽出することができれば言語処理に限られない。
【００１７】
特に、「キーワード」としては、例えば、名詞や修飾語などの単語やその組み合わせ（例えば、熟語）の他に、文節（文を実際の言語として不自然でない程度に区切った最小の単位）や文節の組み合わせ、又は、文（すなわち、句点「。」で区切られたもの）であってもよく、これらの類語や類語を用いた文節又はその組み合わせであってもよい。
【００１８】
一方、コメントデータから特徴部分としての画像特徴量を抽出する際には、例えば、
（２Ａ）ＯＣＲ（Ｏｐｔｉｃａｌ  Ｃｈａｒａｃｔｅｒ  Ｒｅｃｏｇｎｉｔｉｏｎ／Ｒｅａｄｅｒ）などの画像化された文字を画像特徴量として出力する画像解析、
（２Ｂ）画像の各ピクセルのＲＧＢなどの色特徴量や色空間の値を解析する画像解析、
（２Ｃ）画像内の特徴的な（すなわち主な）オブジェクトを認識する画像解析、及び、
（２Ｄ）画像データにメタデータとして記憶されたキーワードの抽出、
が実行される。
【００１９】
さらに、「検索処理」としては、例えば、
（ａ）抽出されたキーワードや色特徴量などの特徴部分そのものを用いて検索を実行する処理（一致するもの又は類似するものを検索する処理）、及び、
（ｂ）抽出されたキーワードやオブジェクトなどの（以下、「基準用特徴部分」ともいう。）から所与の条件を具備する検索に用いるキーワードやオブジェクトなどの（以下、「検索用特徴部分」ともいう。）を特定し、かつ、当該特定した検索用特徴部分によって検索を実行する処理
などを含む。
【００２０】
特に、検索用特徴部分を特定するための「所与の条件」としては、例えば、キーワードの場合には、
（ｂ１）基準キーワードと同音でかつ意味が異なる単語、文節、及び、当該単語や文節の組み合わせ（組み合わせを入れ替えたものも含む。）、
（ｂ２）基準キーワードと同一の母音の並びに（基準キーワードと文字数が同一であることが望ましいがそれに限られない。）よって形成される単語、文節、及び、当該単語や文節の組み合わせ（組み合わせを入れ替えたものも含む。）、及び、
（ｂ３）基準キーワードと１文字又は複数の文字（基準キーワード数よりも少ない文字数が望ましい。）が相違する単語、文節、及び、当該単語や文節の組み合わせ（組み合わせを入れ替えたものも含む。）、
であることを含む。
【００２１】
また、単語は、国語系の辞書に限らず各種の辞書に辞書化されている文字の組み合わせ（すなわち、造語も含む。）を示し、文節は、名詞、動詞や形容詞などの自立語と助詞や助動詞などの付属語から構成されるものを示す。そして、単語や文節の組み合わせとは、熟語（単語の、辞書などにない創作的な組み合わせも含む。）及び修飾語や被修飾語から構成されるなどの文節の組み合わせを示す。
【００２２】
上記に加えて、「第１表示領域」及び「第２表示領域」は、例えば、ユーザが有する通信端末装置にコメントが表示される場合には、それぞれ、当該通信端末装置において画像を表示する画像表示領域内の予め定められた領域であってもよいし、第１表示領域に表示されるコメントをメインコンテンツとして表示し、第２表示領域として当該メインコンテンツの背景となる表示領域を用いてもよい。
【００２３】
また、「第１表示領域」及び「第２表示領域」は、例えば、実空間にコメントの画像を投影する場合には、それぞれ、コメントが投影される投影領域内の予め定められた領域（例えば、スクリーンの一部の領域）の他に、第１表示領域にあっては、各ユーザが実在する領域の上方や背後スペースなどの実在領域やそれに隣接する領域であってもよいし、第２表示領域とは、各ユーザから視認可能な領域（例えば、各ユーザの実在位置から等しい距離にある領域、ユーザの実在領域の中央やその上方、又は、各ユーザの前方の領域など）であってもよい。
【００２４】
特に、「第１表示領域」及び「第２表示領域」は、それぞれの領域が区別されていれば、その数や表示場所には限定されず、また、第２表示領域は、第１表示領域と完全に異なる領域であってもよいし、当該第１表示領域の全部又は一部を含む領域であってもよい。
【００２５】
そして、実空間上の表示制御としては、仮想空間にマーキングして所定のデバイスを用いて実空間上に存在するように認識可能な拡張現実（ＡＲ）を用いた場合も含まれる。
【００２６】
さらに、「検索結果」としては、例えば、画像であってもよいし、テキストであってもよく、検索結果が複数ある場合には、複数の画像をそのまま表示するだけでなく、複数の画像を合成した合成画像（複数の画像が重畳された画像やそれらを並べた画像）であってもよい。
【００２７】
特に、「検索結果」を画像として表示する場合には、検索結果に基づいて、予めデータベースなどに記憶された画像の中から選択し、当該選択した画像を、当該検索結果として表示してもよいし、検索結果とともに表示してもよい。
【００２８】
（２）また、本発明は、
前記表示制御手段が、
前記入力画像を、前記コメントデータを入力したユーザに対応付けて前記第１表示領域に表示させる、構成を有している。
【００２９】
この構成により、本発明は、表示されたコメントなどの情報と当該コメントを入力したユーザを他のユーザに容易に認識させることができる。
【００３０】
なお、「ユーザに対応付けて第１表示領域に表示させる」とは、ユーザ毎に割当てられた領域に表示するだけでなく、単一の領域にユーザＩＤやニックネームなどのユーザを特定する表示とともに、表示する場合など、各ユーザに関連するような形によって表示するものを含む。
【００３１】
（３）また、本発明は、
前記検索手段が、
前記所与の検索処理として、前記抽出された特徴部分を示す基準用特徴部分から所与の条件を具備する検索に用いる特徴部分を、検索用特徴部分として、特定し、かつ、当該特定した検索用特徴部分によって検索を実行する、構成を有している。
【００３２】
この構成により、本発明は、例えば、特徴部分がキーワードの場合には、基準キーワードと同音で意味が異なる単語、文節、及び、当該単語や文節の組み合わせ、基準キーワードと同一の母音の並びに（基準キーワードと文字数が同一であることが望ましいがそれに限られない。）よって形成される単語、文節、及び、当該単語や文節の組み合わせ、及び、基準キーワードと１文字又は複数の文字（基準キーワード数よりも少ない文字数が望ましい。）が相違する単語、文節、及び、当該単語や文節の組み合わせなど、だじゃれとして認識可能なキーワード、又は、異なる意味の似たようなキーワードによって検索をする
ことができる。
【００３３】
したがって、本発明は、コミュニケーション中に新たな話題やトピックを提供すること、又は、意外性（感情を増幅させる機能）のある検索結果を提供することができる。
【００３４】
（４）また、本発明は、
前記検索処理によって検索された検索結果に基づいて音の演出を実行する演出制御手段を更に備える、構成を有している。
【００３５】
この構成により、本発明は、検索結果について表示のみならずＢＧＭや効果音などの音による演出も制御することができるので、コミュニケーションにおけるユーザの興趣性を更に高め、かつ、当該コミュニケーションの利用に関するモチベーションを更に高めることができる。
【００３６】
（５）また、本発明は、
前記表示制御手段が、
（Ａ）前記ネットワーク上にデータとして記憶されているテキスト、
（Ｂ）前記ネットワーク上にデータとして記憶されている画像、及び、
（Ｃ）前記検索処理に基づいて予めデータベースに記憶された画像の中から選択し、かつ、当該選択した画像、
の少なくともいずれかを、当該検索結果として、前記第２表示領域に表示させる、構成を有している。
【００３７】
この構成により、本発明は、検索結果として、テキストや画像、又は、スタンプ画像などの予め記憶された画像を表示することができるとともに、検索結果が複数ある場合には、複数の画像の表示や画像とテキストの双方を表示することができるので、検索結果を様々なバリエーションで表示することができる。
【００３８】
すなわち、本発明は、検索結果の種々の表示によって当該検索結果の表示におけるユーザの興趣性を高め、当該検索結果の表示に対するユーザの利用に関するモチベーションを高めることができる。
【００３９】
（６）また、本発明は、
前記表示制御手段が、
前記検索処理によって検索された検索結果を、所与のタイミングから前記第２表示領域における表示を開始させる、構成を有している。
【００４０】
この構成により、本発明は、検索結果について表示を強調することができるので、コミュニケーションにおけるユーザの興趣性を更に高め、かつ、当該コミュニケーションの利用に関するモチベーションを更に高めることができる。
【００４１】
なお、「所与のタイミング」としては、検索処理の実行タイミングの他に、検索処理の実行タイミングから数秒後などの所定期間経過後であってもよいし、各ユーザの検索結果の表示指示タイミング、又は、他のユーザが検索結果を認識したタイミング（ユーザの通信端末装置に新規の検索結果がある旨を通知したタイミング）などが含まれる。
【００４２】
（７）また、本発明は、
前記表示制御手段が、
前記検索処理によって検索された検索結果を、前記所与のタイミングから所与の期間の終了後まで、前記第２表示領域に表示させる、構成を有している。
【００４３】
この構成により、本発明は、検索結果について表示を強調することができるとともに、所与の期間終了後は、不要になる場合や必要性が低下する場合も多く、その場合には、第２表示領域のコミュニケーションにおけるユーザの興趣性を更に高め、かつ、当該コミュニケーションの利用に関するモチベーションを更に高めることができる。
【００４４】
なお、所与の期間としては、例えば５分間などの予め定められた期間の他に、ユーザが通信端末装置を用いて視認する場合に当該検索結果の表示指示タイミングや表示終了を指示したタイミングなどが含まれる。
【００４５】
また、所与の期間（例えば５分間など）の終了後には、第２表示領域からの表示を消去してもよいし、表示サイズを小さくして他の表示領域で表示してもよく、所定の期間終了後の表示については限定されない。
【００４６】
（８）また、本発明は、
前記第２表示領域に表示された検索結果を前記ユーザに選択させるための選択制御手段を更に備え、
前記検索手段が、
前記ユーザによって選択された検索結果を検索キーとして更に前記検索処理を実行する、構成を有している。
【００４７】
この構成により、本発明は、ユーザによって興味がある検索結果については更に深掘りして検索することができるので、コミュニケーションにおけるユーザの興趣性を更に高め、かつ、当該コミュニケーションの利用に関するモチベーションを更に高めることができる。
【００４８】
（９）また、本発明は、
前記表示制御手段が、
前記検索手段によって以前に検索された検索結果と同一の前記検索結果が得られた場合には、当該検索結果について特別な表示制御を実行する、構成を有している。
【００４９】
この構成により、本発明は、ユーザの興味のある話題について認識しやすくすることができるので、ユーザ同士のコミュニケーションを活性化することができる。
【００５０】
なお、「特別な表示制御」とは、他の検索結果を表示した場合より、表示期間を長くする表示制御、色や形を変更する表示、又は、特定のアニメーションによる表示などのその表示を装飾し、また、強調するための表示制御を示す。
【００５１】
（１０）また、本発明は、
前記入力画像を、前記コメントデータを入力したユーザの実空間上の実在領域に関連させた前記第１表示領域に投影することによって表示させる、構成を有している。
【００５２】
この構成により、本発明は、表示されたコメントと当該コメントを入力したユーザを他のユーザに容易に認識させることができる。
【００５３】
なお、「ユーザの実空間上の実在領域に関連させた第１表示領域」には、例えば、ユーザが実在する空間の頭上の領域や左右の領域、又は、実在領域に対応して形成された表示領域が含まれる。
【００５４】
また、「投影」とは、プロジェクターや映写機などの画像出力装置によって、実空間に
設定されたスクリーンや所定の実空間上に画像を表示可能に出力することを示す。
【００５５】
さらに、投影される表示テキストは、第１表示領域上に固定表示されていてもよいし、浮遊されているような動きのある表示であってもよい。
【００５６】
（１１）また、本発明は、
前記検索手段が、
前記抽出手段によって複数の前記特徴部分が抽出された場合には、当該複数の特徴部分に基づいて複合的に前記検索処理を再度実行する、構成を有している。
【００５７】
この構成により、本発明は、例えば、特徴部分がキーワードの場合には、複数のキーワードによって複合的な検索を実行することができるので、意外性のあるアイデアなどの新規なアイデアの着想を提供することができる。
【００５８】
したがって、本発明は、チャットや会議などのユーザ間のコミュニケーションの活性化を図り、かつ、当該コミュニケーションのサポートを実現することができる。
【００５９】
なお、「複数の特徴部分に基づく複合的な検索処理」としては、例えば、キーワードの場合には、抽出された複数のキーワードの組み合わせに基づく検索処理（当該キーワードによる検索及び当該キーワードを基準キーワードとして特定された検索キーワード（複数の検索キーワードの組み合わせや複数の検索キーワードを合体させた新規の検索キーワード）による検索を含む。）であってもよいし、当該抽出された複数のキーワードを前後に合体させた新たなキーワードに基づく検索処理（当該新たなキーワードによる検索及び当該新たなキーワードを基準キーワードとして特定された検索キーワードによる検索を含む。）であってもよい。
【００６０】
（１２）また、本発明は、
前記表示制御手段が、
前記検索結果を、前記入力画像の表示タイミングとは異なるタイミングで前記第２表示領域に表示させる、構成を有している。
【００６１】
この構成により、本発明は、意外性のある検索結果の場合に、ユーザの思考力を働かせる時間を作り、各ユーザの思考のサポートを実施することができる。
【００６２】
なお、「入力画像の表示タイミングとは異なるタイミング」とは、例えば、入力画像の表示タイミングから所定の期間経過後（例えば、検索処理の実行タイミングから数秒後）のタイミングなどが含まれる。
【００６３】
（１３）また、本発明は、
前記ユーザが有する通信端末装置とデータ通信を行う通信手段を制御する通信制御手段を更に備え、
前記表示制御手段が、
前記入力画像を、前記通信端末装置の表示領域内に形成された前記第１表示領域に表示させる表示制御データを生成し、
前記検索処理によって検索された検索結果を、前記通信端末装置の表示領域内に形成された前記第２表示領域への所与のタイミングからの表示を開始させる表示制御データを生成し、
前記通信制御手段が、
前記生成された表示制御データを前記通信端末装置に送信させる、構成を有している。
【００６４】
この構成により、本発明は、ユーザが有する通信端末装置を利用し、ユーザ間のコミュニケーションを実施するチャットなどのコミュニケーションツールとして用いる場合には、ユーザのコメントに関する画像や当該コミュニケーションにおいて話題となっているトピックに関する画像を表示することができるので、新規なトピックを提供し、又は、話題として挙がっているトピックを発展させるなど、コミュニケーションにおけるユーザの興趣性を高め、かつ、当該コミュニケーションの利用に関するモチベーションを高めることができる。
【００６５】
（１４）また、本発明は、
前記表示制御手段が、
実空間の所与の領域を示す投影領域に含まれる前記第１表示領域及び第２表示領域に、前記入力画像又は前記検索結果を表示させる、構成を有している。
【００６６】
この構成により、本発明は、テレビ会議やネットワークを用いた会議を含む画像を利用した会議システムなどの会議中のコミュニケーションツールとして用いる場合には、ユーザがコメントしたコメントに関する入力画像や当該コミュニケーションにおいて話題となっているトピックに関する画像を表示することができるので、ユーザ間でのコメント内容におけるイメージを共有し、又は、新規なアイデアの着想を提供することができる。
【００６７】
（１５）また、本発明は、
複数のユーザのコメントを表示領域に可視化して表示させて前記ユーザ間で共有する表示制御システムであって、
各ユーザによって入力された情報をコメントデータとして受け付ける受付手段と、
前記受け付けられたコメントデータから特徴部分を抽出する抽出手段と、
前記抽出された特徴部分に基づいて、所与のネットワーク上にアクセス可能に記憶されているデータを検索する検索処理を実行する検索手段と、
前記受け付けられたコメントデータ、当該コメントデータの一部及び前記抽出された特徴部分の中から少なくともいずれかを入力画像として第１表示領域に表示させるとともに、前記検索処理によって検索された検索結果を第２表示領域に表示させる表示制御手段と、
を備える構成を有している。
【００６８】
この構成により、本発明は、ユーザによって入力された情報だけでなく、それに基づいて検索された結果をコメントなどのユーザによって入力された情報とともに表示し、それをユーザ間のコミュニケーションとして利用することができるので、当該コミュニケーションを活性化させ、かつ、当該コミュニケーションにおけるサポートを実現することができる。
【００６９】
したがって、本発明は、データ通信を用いたユーザ間のコミュニケーションやイベント参加時のユーザ間のコミュニケーションの活性化を図り、かつ、当該コミュニケーションのサポートを実現することができる。
【図面の簡単な説明】
【００７０】
【図１】本発明の第１実施形態におけるネットワークシステムの構成を示すシステム構成の一例を示す図である。
【図２】第１実施形態における通信サーバ装置の構成を示す機能ブロック図の一例である。
【図３】第１実施形態における端末装置の構成を示す機能ブロック図の一例である。
【図４】第１実施形態における通信サーバ装置において実行される掲示情報投稿閲覧処理について説明するための図であり、端末装置のタッチパネルに表示制御データに基づいて表示された掲示情報の表示画面構成の例を示す図である。
【図５】第１実施形態の通信サーバ装置よって実行される掲示情報投稿閲覧処理の動作を示すフローチャートである。
【図６】本発明の第２実施形態の画像表示制御システムの構成を示すシステム構成の一例を示す図である。
【図７】第２実施形態におけるシステム制御装置の構成を示す機能ブロック図の一例である。
【図８】第２実施形態のシステム制御装置によって実行される掲示情報表示制御処理について説明するための図であり、表示装置によって表示される掲示情報と実空間の掲示領域の関係の例を示す図である。
【発明を実施するための形態】
【００７１】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００７２】
［Ａ］第１実施形態
はじめに、図１〜図５を用いて本願の表示制御システムの第１実施形態であるネットワークシステムについて説明する。
【００７３】
［Ａ１］ネットワークシステム
まず、図１を用いて本実施形態のネットワークシステム１の概要及び概要構成について説明する。なお、図１は、本実施形態のネットワークシステム１の構成を示すシステム構成の一例を示す図である。
【００７４】
本実施形態のネットワークシステム１は、図１に示すように、ゲームサービス又はコミュニケーションサービスを提供する通信サーバ装置１０と、端末装置２０（例えば、端末装置２０Ａ、２０Ｂ、２０Ｃ）と、通信サーバ装置１０によって検索されて所定の情報を提供する情報提供サーバ装置３０と、がインターネット（ネットワークの一例）に接続可能に構成されている。
【００７５】
なお、本実施形態のネットワークシステム１は、複数の情報提供サーバ装置３０を有していてもよい。
【００７６】
ユーザは、端末装置２０から通信サーバ装置１０にアクセスすることにより、インターネットを介して通信サーバ装置１０から送信されてくるゲームをプレーすること、又は、通信サーバ装置１０とデータ通信を実行することによって当該サーバ装置を介して他のユーザとテキストや画像などを用いたコミュニケーションを実行することができるようになっている。
【００７７】
通信サーバ装置１０は、インターネットを介して通信接続された端末装置２０を用いて、ユーザにゲームをプレーさせるサービス、又は、ユーザ間のコミュニケーションを実行させるサービス（以下、「コミュニケーションサービス」ともいう。）を提供することが可能な情報処理装置である。特に、通信サーバ装置１０は、コミュニケーションサービスを提供するＳＮＳサーバとして機能する。
【００７８】
また、通信サーバ装置１０は、他のユーザとのコミュニケーションを実行するコミュニケーション用のアプリケーション（以下、「コミュニケーションアプリ」という。）を提供し、当該アプリケーションを介して他のユーザの端末装置２０と連動してテキスト及び
画像などの各種のデータの送受信を実行し、ユーザ間のコミュウニケーションを実行させることができるようになっている。
【００７９】
なお、通信サーバ装置１０は、端末装置２０のＷｅｂブラウザ上で提供されるゲーム、例えばＨＴＭＬ、ＦＬＡＳＨ、ＣＧＩ、ＰＨＰ、ｓｈｏｃｋｗａｖｅ、Ｊａｖａ（登録商標）アプレット、ＪａｖａＳｃｒｉｐｔ（登録商標）など様々な言語で作られたブラウザゲーム（Ｗｅｂブラウザで設置サイトを開くだけで起動するゲームであって、例えば、ソーシャルゲーム）を提供してもよい。
【００８０】
また、ソーシャルゲームとは、既存のオンラインゲームとは違い、専用のクライアントソフトウェアを必要とせず、ＷｅｂブラウザとＳＮＳのアカウントのみで利用可能なゲームが含まれる。また、通信サーバ装置１０は、ネットワークを介して他のユーザの端末（スマートフォン、パソコン、ゲーム機など）と接続し、オンラインで同時に同じゲーム進行を共有することができるオンラインゲームを提供することが可能な構成を有している。
【００８１】
さらに、通信サーバ装置１０は、ソーシャルゲームの実行中に、他のユーザとのコミュニケーションを図るコミュニケーションサービスを提供することも可能になっている。
【００８２】
一方、通信サーバ装置１０は、１つの（装置、プロセッサ）で構成されていてもよいし、複数の（装置、プロセッサ）で構成されていてもよい。
【００８３】
そして、通信サーバ装置１０の記憶領域（後述する記憶部１４０）に記憶されるゲーム情報等の情報を、ネットワーク（イントラネット又はインターネット）を介して接続されたデータベース（広義には記憶装置、メモリ）に記憶するようにしてもよい。
【００８４】
端末装置２０は、スマートフォン、携帯電話、ＰＨＳ、コンピュータ、ゲーム装置、ＰＤＡ、携帯型ゲーム機等、画像生成装置などの情報処理装置であり、インターネット（ＷＡＮ）、ＬＡＮなどのネットワークを介して通信サーバ装置１０に接続可能な装置である。なお、端末装置２０と通信サーバ装置１０との通信回線は、有線でもよいし無線でもよい。
【００８５】
また、端末装置２０は、Ｗｅｂページ（ＨＴＭＬ形式のデータ）を閲覧可能なＷｅｂブラウザを備えている。すなわち、端末装置２０は、通信サーバ装置１０との通信を行うための通信制御機能、及び通信サーバ装置１０から受信したデータ（Ｗｅｂデータ、ＨＴＭＬ形式で作成されたデータなど）を用いて表示制御を行う。  
【００８６】
そして、端末装置２０は、ユーザ操作のデータを通信サーバ装置１０に送信するＷｅｂブラウザ機能などを備え、ユーザに提供する各種の処理を実行し、又は、ユーザによってゲームを実行させるようになっている。
【００８７】
情報提供サーバ装置３０は、例えば、ＵＲＬに基づいてＷｅｂページを提供するサーバ装置であり、通信サーバ装置１０や端末装置２０からＵＲＬを指定してＷｅｂページの取得要求を受信すると、該当するＷｅｂページを表示するためのデータを通信サーバ装置１０や端末装置２０に提供する。
【００８８】
なお、情報提供サーバ装置３０は、従来から利用されているサーバ装置であるので、その詳細な説明を省略する。
【００８９】
また、本実施形態のネットワークシステム１は、複数の情報提供サーバ装置３０を有していてもよい。
【００９０】
［Ａ２］サーバ装置
［Ａ２．１］ＳＮＳサーバ機能
本実施形態の通信サーバ装置１０は、社会的ネットワークをインターネット上で構築するＳＮＳ（ソーシャル・ネットワーキング・サービス）を提供する。
【００９１】
また、通信サーバ装置１０は、ＳＮＳの基本的な機能として、プロフィール機能、メッセージ送受信機能、友人関係機能（ユーザ相互リンク機能）、ユーザ検索機能、日記機能（ブログ機能）、掲示情報投稿閲覧機能（メッセージ投稿閲覧機能）、コミュニティ機能等を有している。
【００９２】
そして、通信サーバ装置１０は、ユーザの情報（ユーザ名、プロフィール、日記、掲示情報、ゲームの進捗状況、コミュニティなど）をログインしたユーザだけでなく、当該ユーザと友人関係（フレンド関係）にある他のユーザにも送信し、ユーザ間でコミュニティを図るようにしている。
【００９３】
なお、通信サーバ装置１０は、会員登録を行ったユーザに限定してＳＮＳを提供するようにしてもよい。
【００９４】
例えば、通信サーバ装置１０は、通信サーバ装置１０のＳＮＳ用のＵＲＬ（Ｕｎｉｆｏｒｍ  Ｒｅｓｏｕｒｃｅ  Ｌｏｃａｔｏｒ）にアクセスした端末装置２０によって、ユーザの識別情報（ユーザ名等）、パスワードに基づいて認証を実行し、認証によってアクセスを許可すると、当該ユーザのＷｅｂページを該当する端末装置２０に送信し、該当するユーザにＷｅｂサーバ機能やメール配送が可能なメールサーバ機能に関するサービスを提供する。
【００９５】
また、通信サーバ装置１０は、一方のユーザと他方のユーザとの双方が互いに友人関係を要求する情報を受け取ると、互いに、一方のユーザの識別情報に対応付けて（関連付けて）他方のユーザの識別情報を登録する。
【００９６】
さらに、通信サーバ装置１０は、ユーザ間における掲示情報の投稿及び閲覧を可能にし、例えばユーザＡの端末装置２０Ａから通信サーバ装置１０にユーザ端末から入力された掲示情報を受信すると、ユーザＡが投稿した掲示情報を含むデータ（Ｗｅｂページ）を、例えば、友人関係を有する他のユーザの操作に基づいて、当該他のユーザの端末装置２０Ｂに閲覧可能に提供する。
【００９７】
そして、通信サーバ装置１０は、これらの掲示情報を仲介可能に送受信し、又は、記憶することによってユーザ間のコミュニケーションツールとして機能する構成を有している。
【００９８】
なお、通信サーバ装置１０は、フォローワー情報（自己がフォローワーとして登録しているユーザの情報）及びフォロー情報（自己をフォローしているユーザの情報）を登録する構成を有していてもよい。
【００９９】
一方、本実施形態の通信サーバ装置１０は、コミュニケーションにおけるユーザの興趣性を高め、かつ、当該コミュニケーションの利用に関するモチベーションを高めるため、ユーザ間における掲示情報の投稿及びその閲覧時に、ユーザの掲示情報に関する画像や当該コミュニケーションにおいて話題となっているトピックに関する画像を検索して表示する機能（以下、「自動画像検索表示機能」ともいう。）を有している。
【０１００】
［Ａ２．２］構成
次に、図２を用いて本実施形態の通信サーバ装置１０について説明する。なお、図２は、本実施形態の通信サーバ装置１０の機能ブロックを示す図である。また、本実施形態の通信サーバ装置１０は図２の構成要素（各部）の一部を省略した構成としてもよい。
【０１０１】
通信サーバ装置１０は、管理者やその他の入力に用いるための入力部１７０、所定の表示を行う表示部１９０、所定の情報が記憶された情報記憶媒体１８０、端末装置２０やその他と通信を行う通信部１９６、主に提供するゲームやユーザ間のコミュニケーションに関する処理を実行する処理部１００、及び、主にゲームやユーザ間のコミュニケーションに用いる各種のデータを記憶する記憶部１４０を含む。
【０１０２】
入力部１７０は、システム管理者等がゲームやユーザ間のコミュニケーションに関する設定やその他の必要な設定、データやユーザ間のコミュニケーションの入力に用いるものである。例えば、本実施形態の入力部１７０は、マウスやキーボード等によって構成される。
【０１０３】
表示部１９０は、システム管理者用の操作画面を表示するものである。例えば、本実施形態の表示部１９０は、液晶ディスプレイ等によって構成される。
【０１０４】
情報記憶媒体１８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などによって構成される。
【０１０５】
通信部１９６は外部（例えば、端末、他のサーバや他のネットワークシステム）との間で通信を行うための各種制御を行うものであり、その機能は、各種プロセッサ又は通信用ＡＳＩＣなどのハードウェアや、プログラムなどによって構成される。なお、通信部１９６は、本発明の通信手段を構成する。
【０１０６】
記憶部１４０は、処理部１００や通信部１９６などのワーク領域となるもので、その機能は、ＲＡＭ（ＶＲＡＭ）などによって構成される。なお、記憶部１４０に記憶される情報は、データベースで管理してもよい。
【０１０７】
また、本実施形態においては、記憶部１４０は、ワーク領域として使用される主記憶部１４２と、提供するゲームに関する情報やコミュニケーションサービスに関するサービス情報記憶部１４４と、ユーザに関する情報を示すユーザ情報記憶部１４６と、複数のユーザによって形成されたグループにおける掲示情報及び後述する検索処理によって検索された検索結果を検索履歴情報として記憶する掲示情報記憶部１４７と、その他ゲーム演算に必要な各種の情報やコミュニケーションサービスを提供するために用いる辞書データなどの各種データが記憶されるデータ記憶部１４８と、を有している。
【０１０８】
処理部１００は、記憶部１４０内の主記憶部１４２をワーク領域として各種処理を行う。処理部１００の機能は各種プロセッサ（ＣＰＵ、ＤＳＰ等）、ＡＳＩＣ（ゲートアレイ等）などのハードウェアや、プログラムにより実現できる。
【０１０９】
処理部１００は、情報記憶媒体１８０に格納されるプログラム（データ）に基づいて本実施形態の種々の処理を行う。即ち情報記憶媒体１８０には、本実施形態の各部としてコンピュータを機能させるためのプログラム（各部の処理をコンピュータに実行させるためのプログラム）が記憶される。
【０１１０】
例えば、処理部１００（プロセッサ）は、情報記憶媒体１８０に記憶されているプログラムに基づいて、通信サーバ装置１０全体の制御を行うとともに、各部間におけるデータ等の受け渡しの制御などの各種の処理を行う。さらに、端末装置２０からの要求に応じた各種サービスを提供する処理を行う。
【０１１１】
具体的には、本実施形態の処理部１００は、通信制御部１０１、Ｗｅｂ処理部１０２、掲示情報投稿閲覧制御部１０３及びゲーム管理部１０４を少なくとも有している。
【０１１２】
また、掲示情報投稿閲覧制御部１０３は、コミュニケーションサービスを実行するための処理であって、ユーザ間のコミュニケーションにおける掲示情報投稿閲覧に関する処理（以下、「掲示情報投稿閲覧処理」という。）を管理する投稿閲覧管理部１０５と、当該掲示情報登録閲覧処理において各処理を実行するキーワード抽出処理部１０６、検索処理部１０７及び表示制御データ生成部１０８と、を少なくとも有している。
【０１１３】
なお、例えば、本実施形態の通信制御部１０１は、本発明の通信制御手段を構成するとともに、投稿閲覧管理部１０５は、本発明の受付手段を構成し、キーワード抽出処理部１０６は、本発明の抽出手段を構成する。また、例えば、本実施形態の検索処理部１０７は、本発明の検索手段を構成し、表示制御データ生成部１０８は、本発明の表示制御手段、演出制御手段及び選択制御手段を構成する。
【０１１４】
通信制御部１０１は、端末装置２０とネットワークを介してデータを送受信する処理を行う。すなわち、通信サーバ装置１０は、通信制御部１０１によって端末装置２０等から受信した情報に基づいて各種処理を行う。
【０１１５】
特に、本実施形態の通信制御部１０１は、ユーザの端末装置２０からの要求に基づいて、ゲーム画面を、当該ユーザの端末装置２０に送信する処理を行う。
【０１１６】
Ｗｅｂ処理部１０２は、Ｗｅｂサーバとして機能する。例えば、Ｗｅｂ処理部１０２は、ＨＴＴＰ（Ｈｙｐｅｒｔｅｘｔ  Ｔｒａｎｓｆｅｒ  Ｐｒｏｔｏｃｏｌ）等の通信プロトコルを通じて、端末装置２０にインストールされているＷｅｂブラウザの要求に応じてデータを送信する処理、及び、端末装置２０のＷｅｂブラウザによって送信されるデータを受信する処理を行う。
【０１１７】
なお、本実施形態の通信サーバ装置１０は、ゲーム用サーバ機能及びＳＮＳサーバ機能を有しているが、ゲーム用サーバ機能と、ＳＮＳ用のサーバ機能を別々に形成してもよい。また、本実施形態のゲーム処理は、通信サーバ装置１０が一部又は全部を行ってもよいし、端末装置２０が一部を行ってもよい。
【０１１８】
掲示情報投稿閲覧制御部１０３は、複数のユーザによって作成されたグループ毎に、掲示情報記憶部１４７の掲示領域を割り当てて、当該グループに属する各ユーザから投稿されたテキスト、又は、画像（静止画及び動画を含む）の掲示情報を、他のユーザに閲覧可能に掲示させる掲示情報投稿閲覧処理を実行する。
【０１１９】
特に、掲示情報投稿閲覧制御部１０３は、各ユーザの端末装置２０と連動し、各端末装置２０を介して入力された掲示情報を掲示領域に掲示し、また、各端末装置２０から送信された要求に従って掲示された掲示情報を該当する端末装置２０に表示させるための処理を実行する。
【０１２０】
ゲーム管理部１０４は、端末装置２０と連動し、当該端末装置２０を介して入力されたプレーヤの操作に基づいて、各プレーヤにおいてロールプレーイングゲーム（ＲＰＧ）や
対戦ゲームに関するゲーム処理を実行するとともに、各ユーザのゲームの進行状況やアイテム管理などの各ユーザにおいて使用するキャラクタ及び各種のアイテムを含むユーザ情報を管理する。
【０１２１】
なお、ゲーム管理部１０４は、ユーザの操作に基づかず、ユーザが設定した各種のデータに基づいて自動的にゲームを実行するための自動演算処理を実行し、端末装置２０で再生するためのデータを生成し、生成したデータを端末装置２０に提供してもよい。
【０１２２】
投稿閲覧管理部１０５は、複数のユーザによって予め形成されたグループ毎に、記憶部１４０内に形成された掲示記憶領域を割り当てて、掲示情報登録閲覧処理における投稿及び閲覧に関する管理を実行する。
【０１２３】
特に、投稿閲覧管理部１０５は、通信制御部１０１を介して各ユーザによって入力された音声（発話された音声、例えば、発言）やコメントをテキスト化したデータ、又は、当該ユーザによって入力された画像（以下、「入力画像」という。）をコメントデータとして受け付けて、当該受け付けたコメントデータに基づいて掲示情報登録閲覧処理の実行を管理制御する。
【０１２４】
キーワード抽出処理部１０６は、受け付けられたコメントデータについて所与の処理（例えば、各種の言語処理や画像解析処理）を実行してコメント（すなわち、テキスト化されているコメント、以下同じ。）に含まれるキーワードや画像特徴量を当該コメントの特徴部分として抽出する。
【０１２５】
検索処理部１０７は、抽出されたキーワードや画像特徴量に基づいて、所与のネットワーク上にアクセス可能に記憶されているデータを検索する検索処理を実行し、その検索結果を取得する。
【０１２６】
表示制御データ生成部１０８は、受け付けられたコメントデータにおけるコメント、当該コメントの一部及び抽出されたキーワードの中から少なくとも１の掲示情報のテキストに関する部分（以下、「表示テキスト」ともいう。）を端末装置２０に表示させる表示制御データを生成する。
【０１２７】
特に、表示制御データ生成部１０８は、表示テキストを端末装置２０に表示される表示画面の第１表示領域に表示させるとともに、検索処理によって検索された検索結果（テキスト及び画像など表示可能なものを含む。）を、端末装置２０に表示される表示画面の第１表示領域とは異なる第２表示領域に表示させる表示制御データを生成する。
【０１２８】
［Ａ３］端末装置
次に、図３を用いて本実施形態の端末装置２０について説明する。なお、図３は、本実施形態における端末装置２０の構成を示す機能ブロック図の一例である。また、本実施形態の端末装置２０は図３の構成要素（各部）の一部を省略した構成としてもよい。
【０１２９】
入力部２６０は、プレーヤが操作データを入力するためのものであり、その機能は、タッチパネル又はタッチパネル型ディスプレイなどにより実現できる。すなわち、入力部２６０は、画像が表示される画面上における２次元の指示位置座標（ｘ，ｙ）を検出可能な検出部２６２を備えている。例えば、入力部２６０は、接触検出領域（タッチパネル）における、２次元の接触位置座標（ｘ，ｙ）を検出可能な検出部２６２を備えている。
【０１３０】
本実施形態において、接触位置は、プレーヤの接触操作（直接的な接触及びポインティングデバイスによる間接的な接触も含む）により、接触検出領域から得られる位置情報で
ある。
【０１３１】
なお、本実施形態のプレーヤの接触操作には、ユーザの指によるタッチパネル１２上への直接的なタッチ操作又はスライド操作、及び、ポインティングデバイスなどのデバイスを介して実行される間接的なタッチパネル１２上へのタッチ操作又はスライド操作の他に、タッチパネル１２に直接的及び間接的にタッチ操作又はスライド操作をせずに、タッチパネル１２上への擬似的なタッチ操作又はスライド操作も含まれる。
【０１３２】
特に、本実施形態では、表示画面（ディスプレイ）１２が、液晶ディスプレイと、プレーヤ（操作者、ユーザ）の接触位置を検出するためのタッチパネルとが積層されたタッチパネル型ディスプレイとなっている。すなわち、本実施形態では、表示画面１２が入力部２６０として機能するとともに表示部２９０としても機能する。
【０１３３】
なお、表示画面（以下、特別な場合を除き「タッチパネル」という。）１２への接触操作は、指先を用いて行うようにしてもよいし、タッチペンなどの入力機器を用いて行うようにしてもよい。
【０１３４】
また、入力部２６０は、指示位置以外の操作情報（操作信号）を入力可能なボタンやレバー、キーボード、ステアリング、マイク、加速度センサなどを備えていてもよい。
【０１３５】
記憶部２７０は、処理部２００や通信部２９６などのワーク領域となるもので、その機能はＲＡＭ（ＶＲＡＭ）などにより実現できる。そして、本実施形態の記憶部２７０は、ワーク領域として使用される主記憶部２７１と、最終的な表示画像等が記憶される画像バッファ２７２と、提供するゲームに関しプレーヤとしてのユーザに関する情報を示すユーザ情報記憶部２７３と、通信サーバ装置１０において実行される掲示情報投稿閲覧処理と連動するためのアプリケーションが記憶されるデータ記憶部２７４と、を含む。なお、これらの一部を省略する構成としてもよいし、通信サーバ装置１０の記憶部１４０がその一部を構成してもよい。
【０１３６】
情報記憶媒体２８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。
【０１３７】
また、情報記憶媒体２８０には、本実施形態の各部としてコンピュータを機能させるためのプログラム（各部の処理をコンピュータに実行させるためのプログラム）を記憶することができる。なお、処理部２００は、後述するように、情報記憶媒体２８０に格納されるプログラム（データ）に基づいて本実施形態の種々の処理を行う。
【０１３８】
表示部２９０は、本実施形態により生成された画像を出力するものであり、その機能は、ＣＲＴ、ＬＣＤ、タッチパネル型ディスプレイ、或いはＨＭＤ（ヘッドマウントディスプレイ）などにより実現できる。
【０１３９】
特に、本実施形態では表示部２９０は、タッチパネルディスプレイを用いることによりプレーヤがゲーム操作を行う入力部２６０としても機能する。タッチパネル１２は、例えば抵抗膜方式（４線式、５線式）、静電容量方式、電磁誘導方式、超音波表面弾性波方式、赤外線走査方式などのタッチパネルを用いて形成される。
【０１４０】
音出力部２９２は、本実施形態により生成された音を出力するものであり、その機能は、スピーカ、或いはヘッドフォンなどにより実現できる。
【０１４１】
通信部２９６は、外部（例えばホスト装置や他の端末装置）との間で通信を行うための各種制御を行うものであり、その機能は、各種プロセッサ又は通信用ＡＳＩＣなどのハードウェアや、プログラムなどにより実現できる。
【０１４２】
なお、端末装置２０は、通信サーバ装置１０が有する情報記憶媒体や記憶部２７０に記憶されている本実施形態の各部としてコンピュータを機能させるためのプログラムやデータを、ネットワークを介して受信し、受信したプログラムやデータを情報記憶媒体２８０や記憶部２７０に記憶してもよい。このようにプログラムやデータを受信して端末装置２０を機能させる場合も本発明の範囲内に含めることができる。
【０１４３】
処理部２００（プロセッサ）は、入力部２６０からの入力データやアプリケーションなどのプログラムなどに基づいて、通信サーバ装置１０と連動して、ゲーム処理、画像生成処理、或いは音生成処理などの処理を行う。
【０１４４】
また、処理部２００は、記憶部２７０をワーク領域として各種処理を行う。処理部２００の機能は各種プロセッサ（ＣＰＵ、ＤＳＰ等）、ＡＳＩＣ（ゲートアレイ等）などのハードウェアや、プログラムにより実現できる。
【０１４５】
特に、本実施形態の処理部２００は、タッチ検出処理部２１１と、表示制御部２１２と、アプリケーション実行部２１３と、描画部２２０と、音処理部２３０とを含む。また、これらの一部を省略する構成としてもよい。
【０１４６】
タッチ検出処理部２１１は、プレーヤが入力部２６０から入力した入力情報の認識処理を行う。具体的には、本実施形態のタッチ検出処理部２１１は、入力部２６０によって入力された指示位置を取得する。
【０１４７】
例えば、タッチ検出処理部２１１は、プレーヤの接触操作（すなわち、タッチ操作）を検出する接触検出領域（タッチパネル）における接触位置（２次元の接触位置座標）を指示位置として取得する。
【０１４８】
すなわち、タッチ検出処理部２１１は、プレーヤが指でタッチパネル１２にタッチ（以下、「タッチ操作入力」という。）し、そのまま指を移動して最後にタッチパネル１２から離すスライド操作を行う期間に相当する接触操作期間中（スライド操作期間中）における接触位置（指示位置）を取得する。
【０１４９】
また、タッチ検出処理部２１１は、所定の周期毎に入力された指示位置を取得する。具体的には、所定の周期とはフレーム毎、例えば、１／６０秒〜１／１２０秒程度とすることができる。
【０１５０】
表示制御部２１２は、アプリケーション実行部２１３と連動し、各種の表示を行うとともに、通信サーバ装置１０から送信された表示制御データに基づいて、当該通信サーバ装置１０と連動し、コミュニケーションサービス、又は、ゲームサービスに関するタッチパネル１２上への表示制御を実行する。
【０１５１】
アプリケーション実行部２１３は、通信サーバ装置１０と連動してゲームアプリやコミュニケーションアプリを実行し、ゲーム処理、又は、掲示情報投稿閲覧処理と連動するコミュニケーション制御処理を実行する。
【０１５２】
特に、アプリケーション実行部２１３は、ゲーム処理としては、例えば、プレーヤキャ
ラクタなどのオブジェクトをオブジェクト空間への設定、オブジェクトのオブジェクト空間内における移動制御、マップに基づくオブジェクト空間の形成やゲーム進行に関する処理などの種々のゲーム演算処理、オブジェクト空間内の画像化、各ユーザが使用するプレーヤキャラクタに関する情報等のプレーヤ情報の管理を実行する。
【０１５３】
また、アプリケーション実行部２１３は、コミュニケーション制御処理としては、掲示情報投稿閲覧処理と連動し、掲示情報の入力及び当ギア掲示情報の通信サーバ装置１０への提供をし、自己の掲示情報を含む各ユーザが投稿した掲示情報をタッチパネル１２上への表示に関する処理を実行する。
【０１５４】
描画部２２０は、処理部２００で行われる種々の処理（ゲーム処理やコミュニケーション制御処理）の結果に基づいて描画処理を行い、これにより画像を生成し、表示部（ディスプレイ）２９０（すなわち、タッチパネル１２）に出力する。
【０１５５】
音処理部２３０は、処理部２００で行われる種々の処理の結果に基づいて音処理を行い、ＢＧＭ、効果音、又は音声などのゲーム音を生成し、音出力部２９２に出力する。
【０１５６】
なお、本実施形態の端末装置２０は、１人のプレーヤのみがプレーできるシングルプレーヤモード専用のシステムにしてもよいし、複数のプレーヤがプレーできるマルチプレーヤモードも備えるシステムにしてもよい。
【０１５７】
また、複数のプレーヤがプレーする場合に、これらの複数のプレーヤに提供するゲーム画像やゲーム音を、１つの端末装置２０を用いて生成してもよいし、ネットワーク（伝送ライン、通信回線）などで接続された複数の端末装置２０又は通信サーバ装置１０を用いて分散処理により生成してもよい。
【０１５８】
［Ａ４］本実施形態の手法
［Ａ４．１］概要
次に、本実施形態の手法（グループ間のコミュニケーションを実行するための掲示情報投稿閲覧処理）の概要について説明する。
【０１５９】
本実施形態の通信サーバ装置１０は、各ユーザが有する端末装置２０と連動し、予め登録された複数のユーザから構成されるグループに属するユーザ間で掲示情報を共有して当該ユーザ間のコミュニケーションをサポートするサービスを提供する構成を有している。
【０１６０】
特に、通信サーバ装置１０は、端末装置２０を介して入力されたテキスト又は発話した音声を含むコメントを掲示情報として可視化して当該投稿された掲示情報を端末装置２０に提供する構成を有している。
【０１６１】
また、通信サーバ装置１０は、
（１）端末装置２０に入力されたコメントなどのユーザによって入力された情報をテキスト化したデータをコメントデータとして受け付けると、
（２）受け付けたコメントデータについて所与の処理（具体的には、各種の言語処理）を実行してテキスト化されているコメントに含まれるキーワード（すなわち、特徴部分）を抽出し、
（３）抽出したキーワードに基づいて、所与のネットワーク上にアクセス可能に記憶されているデータ（具体的には、情報提供サーバ装置３０にＵＲＬに対応付けて記憶されているテキスト、画像、音などのコンテンツのデータ）を検索する検索処理を実行し、
（４）受け付けたコメントデータにおけるコメント（すなわち、テキスト化されたコメント）、当該コメントの一部及び前記抽出されたキーワードの中から少なくとも１の表示テ
キストを掲示情報として各端末装置２０に形成された第１表示領域に表示させるとともに、検索処理によって検索された検索結果を、掲示情報として、各端末装置２０に形成された第１表示領域とは異なる第２表示領域に表示させる、
構成を有している。
【０１６２】
特に、通信サーバ装置１０は、グループに属するユーザの端末装置２０の各コミュニケーションアプリに基づく処理と連動して、当該各ユーザの端末装置２０において、当ユーザによって入力された表示テキストと、検索結果と、を異なる表示領域に表示させるための表示制御データを生成し、生成した表示制御データを各端末装置２０に送信する、構成を有している。
【０１６３】
例えば、通信サーバ装置１０は、ユーザの発言やテキストを含むコメントなどの情報や掲示した画像などのデータに基づいて話題となっているトピックや新規なトピックをキーワードとして特定し、特定したキーワードに関する画像を検索して該当する端末装置２０に表示させる構成を有している。
【０１６４】
この構成により、本実施形態においては、コメントなどのユーザによって入力された情報だけでなく、それに基づいて検索された結果を、当該ユーザによって入力された情報とともに掲示情報として表示し、それをユーザ間のコミュニケーションとして利用することができるので、当該コミュニケーションを活性化させ、かつ、当該コミュニケーションにおけるサポートを実現することができるようになっている。
【０１６５】
したがって、本実施形態においては、新規なトピックを提供し、又は、話題として挙がっているトピックを発展させるなど、コミュニケーションにおけるユーザの興趣性を高め、かつ、当該コミュニケーションの利用に関するモチベーションを高めることができるようになっている。
【０１６６】
この結果、本実施形態においては、ユーザ間のコミュニケーションの活性化を図り、かつ、当該コミュニケーションのサポートを実現することができるようになっている。
【０１６７】
なお、本実施形態の以下の説明については、コメントデータの特徴部分としてキーワードを抽出する場合を主に用いて説明する。
【０１６８】
［Ａ４．２］掲示情報投稿閲覧処理
次に、図４を用いて本実施形態の通信サーバ装置１０において実行される掲示情報投稿閲覧処理について説明する。なお、図４は、本実施形態の通信サーバ装置１０において実行される掲示情報投稿閲覧処理について説明するための図であり、端末装置２０のタッチパネル１２に表示制御データに基づいて表示された掲示情報の表示画面構成の例を示す図である。
【０１６９】
（掲示情報投稿閲覧処理の原理）
掲示情報投稿閲覧制御部１０３は、掲示情報投稿閲覧処理として、検索結果及びキーワードを含む、コメントの投稿閲覧管理にしつつ、所定のタイミングに、入力されたコメントなどの情報に基づくキーワード抽出処理、キーワードに基づく検索処理、及び、表示制御データ生成処理を実行する。
【０１７０】
具体的には、投稿閲覧管理部１０５は、ユーザが所有する端末装置２０と連動し、予め登録された複数のユーザから構成されるグループ毎に、各グループに属するユーザ間で投稿されるメッセージのデータ（すなわち、コメントデータ）や画像（静止画や動画）のデータを含む掲示情報をデータとして管理し、当該投稿された掲示情報を、グループに属す
る各ユーザに提供するための制御を実行する。
【０１７１】
特に、投稿閲覧管理部１０５は、グループＩＤ及びユーザＩＤに対応付けて各端末装置２０から送信された掲示情報を受け付けるとともに、グループＩＤ及びユーザＩＤとともに、掲示情報と掲示時刻（又は受信時刻）を示す時刻情報を、掲示情報記憶部１４７に記憶する。
【０１７２】
また、キーワード抽出処理部１０６は、グループ毎に、時系列に記憶された各掲示情報に含まれるコメントから、ユーザ間において話題となっているトピックや重要なコメントに関する単語やその組み合わせを、キーワードとして、抽出するキーワード抽出処理を実行する。
【０１７３】
そして、検索処理部１０７は、当該抽出したキーワードに基づいて情報提供サーバ装置３０に記憶されるＷｅｂページを検索する検索処理を実行する。
【０１７４】
さらに、表示制御データ生成部１０８は、グループ毎に、掲示情報を表示する端末装置を所有するユーザ（以下、「基準ユーザ」ともいう。）の入力に起因する掲示情報が表示される第１表示領域（以下、「基準ユーザ用第１表示領域」という。）と、他のユーザの入力に起因する掲示情報が表示される第１表示領域（以下、「他ユーザ用第１表示領域」という。）と、掲示情報としての検索結果が表示される第２表示領域と、を有する画像（以下、「コミュニケーション画像」という。）を、該当する端末装置２０において表示するための表示制御データを生成する表示制御データ生成処理を実行し、生成した表示制御データを端末装置２０に送信する。
【０１７５】
（キーワード抽出処理）
キーワード抽出処理部１０６は、上述のように、グループ毎に時系列に受け付けたコメントデータについて所与の処理（例えば、各種の言語処理）を実行してコメントに含まれるキーワード（すなわち、コメントデータの特徴部分）を抽出する。
【０１７６】
具体的には、キーワード抽出処理部１０６は、所与の処理としては、
（Ａ）予めデータ記憶部１４８に記憶されている辞書データを用いて動詞、助詞や名詞などの品詞の特定及び最小単位の言語（形態素）の抽出をしてその名詞などの単語を特定する形態素解析、
（Ｂ）当該形態素のランキング（例えば、登場回数など）に基づくトピックの動向（すなわち、コミュニケーション中の話題のトピックの抽出）の解析、及び、
（Ｃ）トピックに対して係り受けの集計や分析をして当該トピックに関する状況（例えば、トピックに関する意見）を抽出する構文解析
の各種の言語処理を実行し、１以上の検索処理の基準となるキーワード（以下、「基準キーワード」又は「基準用特徴部分」という。）を抽出する。
【０１７７】
特に、本実施形態においては、キーワード抽出処理部１０６は、形態素解析によって抽出された単語の中から、複数のユーザによって投稿されたコメントにおいて登場回数を計数するとともに、登場回数が上位（例えば、最上位）の単語を特定する。
【０１７８】
そして、キーワード抽出処理部１０６は、特定した単語、及び、当該単語と当該単語の係り受けの単語の組み合わせの中から、適したもの（すなわち、構文上中心になる単語又は単語群）を基準キーワードとして抽出する。
【０１７９】
また、キーワード抽出処理部１０６は、基準キーワードとしては、例えば、名詞や修飾語などの単語やその組み合わせ（例えば、熟語）の他に、文節（文を実際の言語として不
自然でない程度に区切った最小の単位）や文節の組み合わせを抽出する。
【０１８０】
なお、キーワード抽出処理部１０６は、基準キーワードとしては、文（すなわち、句点「。」で区切られたもの）を抽出してもよい。
【０１８１】
また、キーワード抽出処理部１０６は、辞書データとして、固有名詞や一般名詞が規定された辞書データの他に、類語が規定された辞書データを用いてもよいし、抽出された単語と類語の登場回数を別々に計数してもよいし、当該類語も含めて各単語の登場回数を計数してもよい。
【０１８２】
（検索処理）
検索処理部１０７は、上述のように、抽出された基準キーワードに基づいて、所与のネットワーク上にアクセス可能に記憶されているデータを検索する検索処理を実行する。
【０１８３】
また、検索処理部１０７は、所与の検索処理として、基準キーワードから所与の条件を具備する検索に用いるキーワードを、検索キーワード（すなわち、検索用特徴部分）として、特定し、かつ、当該特定した検索キーワードによって検索してもよい。
【０１８４】
すなわち、検索処理部１０７は、検索処理としては、
（ａ）基準キーワードそのものを用いて検索を実行する処理（以下、「直接検索処理」という。）、及び、
（ｂ）基準キーワードから所与の条件を具備する検索に用いる検索キーワードを特定し、かつ、当該特定した検索キーワードによって検索を実行する処理（以下、「間接検索処理」という。）
を実行する。
【０１８５】
特に、検索処理部１０７は、
（ｂ１）基準キーワードと同音でかつ意味が異なる単語、文節、及び、当該単語や文節の組み合わせ（組み合わせを入れ替えたものも含む。）、
（ｂ２）基準キーワードと同一の母音の並びに（基準キーワードと文字数が同一であることが望ましいがそれに限られない。）よって形成される単語、文節、及び、当該単語や文節の組み合わせ（組み合わせを入れ替えたものも含む。）、又は、
（ｂ３）基準キーワードと１文字又は複数の文字（基準キーワード数よりも少ない文字数が望ましい。）が相違する単語、文節、及び、当該単語や文節の組み合わせ（組み合わせを入れ替えたものも含む。）、
を検索キーワードとして間接検索処理を実行する。
【０１８６】
そして、検索処理部１０７は、検索処理によって取得した検索結果を、グループＩＤ及び検索時刻を示す検索時刻情報に対応付けて掲示情報記憶部１４７に記憶する。
【０１８７】
また、検索処理部１０７は、所定の検索エンジン（検索アプリケーション）を用いた検索処理を実行し、最上位に検出されたＷｅｂページの表題、又は、最上位に検出された画像を、検索結果としてグループＩＤ及び検索時刻に対応付けて掲示情報記憶部１４７に記憶する。
【０１８８】
なお、検索処理部１０７は、複数の検索結果を取得してもよく、例えば、最上位から３位までのＷｅｂページの表題、画像、又は、最上位のＷｅｂページの表題及び画像などの複数の検索結果を取得し、当該取得した検索結果を掲示情報記憶部１４７に記憶してもよい。
【０１８９】
特に、本実施形態においては、検索結果としては、例えば、画像であってもよいし、テキストであってもよく、検索結果に基づいて、予めデータベースなどに記憶された画像の中から選択し、当該選択した画像を、当該検索結果として取得されてもよい。  
【０１９０】
また、キーワード抽出処理と同様に、単語は、国語系の辞書に限らず各種の辞書に辞書化されている文字の組み合わせ（すなわち、造語も含む。）を示し、文節は、名詞、動詞や形容詞などの自立語と助詞や助動詞などの付属語から構成されるものを示す。そして、単語や文節の組み合わせとは、熟語（単語の、辞書などにない創作的な組み合わせも含む。）及び修飾語や被修飾語から構成されるなどの文節の組み合わせを示す。
【０１９１】
（表示制御データ生成処理）
表示制御データ生成部１０８は、ユーザの入力に起因する掲示情報（具体的には、ユーザによって入力されたコメント、基準キーワード又は検索キーワード）を各端末装置２０に形成された第１表示領域に表示させるとともに、検索処理によって検索された検索結果を、各端末装置２０に形成された第２表示領域に表示させるため、所定の構成を有する表示制御データを生成する表示制御データ生成処理を実行する。
【０１９２】
そして、表示制御データ生成部１０８は、ユーザの入力に起因する掲示情報（以下、「ユーザ掲示情報」ともいう。）を、当該掲示情報を入力したユーザに（すなわち、コメントを入力したユーザに、又は、当該掲示情報であるキーワードが抽出された際の抽出の対象となったコメントを入力したユーザに）に対応付けて第１表示領域に表示させるための表示制御データを生成する。
【０１９３】
特に、表示制御データ生成部１０８は、
（Ａ）ネットワーク上（具体的には情報提供サーバ装置３０上）にデータとして記憶されているテキスト、
（Ｂ）ネットワーク上にデータとして記憶されている画像、及び、
（Ｃ）検索結果に基づいて予めデータベースに記憶された画像の中から選択された画像（いわゆるスタンプ画像であって静止画であっても動画であってもよい。）、
の少なくともいずれかを、当該検索結果として、第２表示領域に表示させるための表示制御データを生成する。
【０１９４】
具体的には、表示制御データ生成部１０８は、上述のように、グループ毎に、基準ユーザの入力に起因する掲示情報が表示される基準ユーザ用第１表示領域と、他のユーザの入力に起因する掲示情報が表示される他ユーザ用第１表示領域と、検索結果が表示される第２表示領域と、を有するコミュニケーション画像を、該当する端末装置２０において表示するための表示制御データを生成する。
【０１９５】
例えば、表示制御データ生成部１０８は、
（１）ユーザＩＤ、及び、時刻情報に対応付けられたユーザ掲示情報（基準ユーザ用及び他ユーザ用を含む。）と、
（２）検索時刻情報及び検索結果であることを示す種別情報に対応付けられた検索結果の掲示情報（以下、「検索結果掲示情報」ともいう。）と、
（３）端末装置２０において基準ユーザ用第１表示領域、他ユーザ用第１表示領域及び第２表示領域の画面構成を制御する画面構成制御情報と、
（４）各表示領域に該当する掲示情報を表示させるとともに、時刻情報に基づいて各表示領域に該当する掲示情報を時系列に表示させる表示制御情報と、
を含む表示制御データを生成する。
【０１９６】
特に、表示制御データ生成部１０８は、検索結果が複数ある場合には、複数の画像を第
２表示領域に表示させるための制御情報、複数の画像を合成した合成画像（複数の画像が重畳された画像やそれらを並べた画像）を表示させるための画面構成制御情報を生成してもよい。
【０１９７】
また、表示制御データ生成部１０８は、基準ユーザ用第１表示領域、他ユーザ用第１表示領域及び第２表示領域を、端末装置２０の画面サイズに合わせ、かつ、当該端末装置２０の画面上の予め定められた領域に配置するための画面構成制御情報を生成してもよいし、当該画面サイズに合わせ、かつ、第１表示領域をメインコンテンツとして表示するための領域、第２表示領域をメインコンテンツの背景として表示するための画面構成制御情報を生成してもよい。
【０１９８】
上記に加えて、表示制御データ生成部１０８は、検索結果について再度検索可能にする表示制御情報を生成してもよい。
【０１９９】
例えば、表示制御データ生成部１０８は、検索結果について再度検索可能にする場合には、他の掲示情報と色を変更するなどユーザによってその状況が視認可能であって当該掲示情報についてタッチ操作可能な画像とし、かつ、タッチ操作入力可能にするための表示制御情報を生成する。
【０２００】
また、表示制御データ生成部１０８は、原則、時系列に従って掲示情報を表示するための表示制御情報を生成するが、端末装置２０における表示タイミングを制御してもよい。
【０２０１】
例えば、表示制御データ生成部１０８は、検索処理によって検索された検索結果については、検索処理の実行タイミング、当該検索処理の実行タイミングから数秒後などの所定期間経過後のタイミング、各ユーザの検索結果の表示指示タイミング、又は、他のユーザが検索結果を認識したタイミング（ユーザの通信端末装置に新規の検索結果がある旨を通知したタイミング）などの所与のタイミングから、予め定められた期間経過後のタイミングのタイミング又は表示終了を指示したタイミングまで表示制御すること可能である。
【０２０２】
さらに、表示制御データ生成部１０８は、以前に検索された検索結果（すなわち、検索履歴に含まれ検索結果）と同一の検索結果が得られた場合には、当該検索結果について特別な表示制御を実行するための表示制御情報を生成する。
【０２０３】
なお、本実施形態においては、通信サーバ装置１０から提供されるコミュニケーションアプリにおいては、基本的な画面構成を制御する制御情報が含まれている場合には、すなわち、端末装置２０に実際に表示されるコミュニケーション画像の画像構成について当該各端末装置２０におけるコミュニケーションアプリによって規定される場合には、表示制御データ生成部１０８は、ユーザ掲示情報及び検索結果掲示情報から構成される表示制御データを生成してもよい。
【０２０４】
また、本実施形態においては、第１表示領域に表示される掲示情報（コメント）をメインコンテンツとして表示し、第２表示領域として当該メインコンテンツの背景となる表示領域を用いてもよい。
【０２０５】
そして、「第１表示領域」及び「第２表示領域」は、それぞれの領域が区別されていれば、その数や表示領域には限定されず、また、第２表示領域は、第１表示領域の全部又は一部を含む領域であってもよい。
【０２０６】
さらに、表示制御データ生成部１０８は、掲示情報の実際の表示においては、ユーザ毎に割当てられた領域に表示するだけでなく、単一の領域にユーザＩＤやニックネームなど
のユーザを特定する表示や掲示時刻とともに、表示するなど、各ユーザに関連することや時系列を明示するための表示制御情報を生成する。
【０２０７】
（掲示情報投稿閲覧処理の例）
例えば、図４に示すように、ユーザＩＤ００１のユーザ（基準ユーザ）とユーザＩＤ００２の他ユーザ及びユーザＩＤ００３の他ユーザとによって形成されたグループにおいて実行される場合を想定する。
【０２０８】
この場合において、端末装置２０に基準ユーザによる「×××の記事読んだ！」というコメントが入力されると、キーワード抽出処理部１０６は、当該ユーザＩＤ００１による「×××の記事読んだ！」というコメントから「×××の記事」をキーワードとして抽出する。
【０２０９】
そして、検索処理部１０７は、「×××の記事」をキーワードに基づいて、検索処理を実行し、「×××の記事」の検索結果において最上位に検出されｗｅｂページの表題「×××マガジン最新号は発売中！」を検索結果として取得する。
【０２１０】
同じように、端末装置２０に他ユーザによる「読んだ。新作の〇〇〇ゲーム面白そう」というコメントが入力されると、キーワード抽出処理部１０６は、「〇〇〇ゲーム」をキーワードとして抽出し、検索処理部１０７は、「〇〇〇ゲーム」の検索結果において最上位に検出されｗｅｂページの表題「〇〇〇ゲームは今週の売上第１位」を検索結果として取得する。
【０２１１】
また、端末装置２０に基準ユーザによる「メインキャラクタもいいね」というコメントが入力されると、キーワード抽出処理部１０６は、コメントの履歴から「〇〇〇ゲームのメインキャラクタ」をキーワードとして抽出し、検索処理部１０７は、「〇〇〇ゲームのメインキャラクタ」の検索結果において最上位に検出されｗｅｂページに含まれるメインキャラクタの画像を検索結果として取得する。
【０２１２】
そして、表示制御データ生成部１０８は、図４に示すように、紙面に向かって左側に基準ユーザ用第１表示領域１５が配置され、紙面向かって右側に他ユーザ用第１表示領域１６が配置され、かつ、中央に第２表示領域１７が配置されていること、各コメントがユーザＩＤとコメント時刻とともに表示されること、及び、検索結果が掲示時刻とともに表示させるための表示制御データを、各種のコメントタイミングや検索タイミングに基づいて、生成し、該当する端末装置（図４の場合には、ユーザＩＤ００１を有するユーザの端末装置）２０に送信する。
【０２１３】
［Ａ４．５］変形例
（音演出制御）
本実施形態においては、コミュニケーションサービスにおいて、グループにおけるユーザ間の掲示情報を共有する点に追加して、例えば、掲示情報の提供中に、検索処理によって検索された検索結果に基づいて音の演出を実行する演出制御が実行されてもよい。
【０２１４】
この場合には、例えば、検索処理部１０７は、取得した検索結果に基づいて予めデータ記憶部１４８に記憶されたＢＧＭなどの音データを選択し、選択した音データを、検索結果が表示されるタイミングなどの所定のタイミングで端末装置２０によって再生するための再生制御情報を含む表示制御データを生成する。
【０２１５】
したがって、端末装置２０は、表示制御データを受信すると、検索結果を第２表示領域に表示する画像を生成して出力する際に、再生制御情報に基づいて、所定の音を出力する
ようになっている。
【０２１６】
なお、この場合において、表示制御データには、検索結果を表示するための制御情報が含まれていなくてもよい。
【０２１７】
（検索結果に基づく再検索処理）
本実施形態においては、表示制御データに検索結果を検索キーとして再検索を実行し、実行して得られた結果を第２表示領域に表示してもよい。
【０２１８】
具体的には、表示制御データ生成部１０８は、端末装置２０に検索結果が表示された場合に当該検索結果においてさらなる検索指示を受け付けるためのタッチ表示制御情報を含む表示制御データを生成する。
【０２１９】
そして、検索処理部１０７は、端末装置２０によってタッチ表示制御情報に基づく検索指示を受信した場合には、当該検索結果を検索キーとして情報提供サーバ装置３０に記憶されたＷｅｂページデータ内を再検索する。
【０２２０】
なお、この場合には、本実施形態の表示制御データ生成部１０８は、本発明の選択制御手段を構成する。
【０２２１】
（同一検索結果に基づく特別表示制御）
本実施形態においては、検索処理によって以前に検索された検索結果と同一の検索結果が得られた場合には、当該検索結果について特別な表示制御を実行してもよい。
【０２２２】
具体的には、検索処理部１０７は、検索結果を取得すると、取得した検索結果を、掲示情報記憶部１４７に既に検索された記憶されている履歴情報（以下、「検索履歴情報」という。）として、掲示情報記憶部１４７に記憶する。
【０２２３】
このとき、検索処理部１０７は、既に記憶された検索履歴情報と同一の検索結果が記憶されているか否かを判定し、当該の検索結果が記憶されていると判定すると、特別表示を行うためのフラグ情報を付与する。
【０２２４】
そして、表示制御データ生成部１０８は、表示制御データを生成する際に、上記のフラグ情報のある検索結果については、強調表示や過去にも検索結果があったことを示す表示を行うための表示制御情報を含む表示制御データを生成し、該当するグループの端末装置２０に送信する。
【０２２５】
（画像に基づく検索処理）
本実施形態においては、コメントデータとしてテキスト化されたデータからキーワードを抽出し、当該キーワードを用いて検索処理を実行しているが、画像データをコメントデータとして受け付けるとともに、当該画像データに対応付けられたキーワードを抽出してもよいし、特定のオブジェクトや画像の色特徴量など当該画像データの特徴部分を抽出し、抽出した特徴部分に基づいて一致又は類似する特徴部分を有する画像データを検索結果として端末装置２０表示させてもよい。
【０２２６】
具体的には、サーバ装置１０は、キーワード抽出部１０６に代えて特徴検出部を有し、例えば、
（Ａ）ＯＣＲ（Ｏｐｔｉｃａｌ  Ｃｈａｒａｃｔｅｒ  Ｒｅｃｏｇｎｉｔｉｏｎ／Ｒｅａｄｅｒ）などの画像化された文字を画像特徴量として出力する画像解析、
（Ｂ）画像の各ピクセルのＲＧＢなどの色特徴量や色空間の値を解析する画像解析、
（Ｃ）画像内の特徴的な（すなわち主な）オブジェクトを認識する画像解析、及び、
（Ｄ）画像データにメタデータとして記憶されたキーワードの抽出、
を実行する。
【０２２７】
そして、サーバ装置１０は、検索処理としては、
（ａ）抽出されたキーワードや色特徴量などの特徴部分そのものを用いて検索を実行する処理（一致するもの又は類似するものを検索する処理）、及び、
（ｂ）抽出されたキーワードやオブジェクトなどの（以下、「基準用特徴部分」ともいう。）から所与の条件を具備する検索に用いるキーワードやオブジェクトなどの（以下、「検索用特徴部分」ともいう。）を特定し、かつ、当該特定した検索用特徴部分によって検索を実行する処理、
などを実行してもよい。
【０２２８】
［Ａ５］本実施形態における動作
次に、図５を用いて本実施形態の通信サーバ装置１０よって実行される掲示情報投稿閲覧処理の動作について説明する。なお、図５は、本実施形態の通信サーバ装置１０よって実行される掲示情報投稿閲覧処理の動作を示すフローチャートである。
【０２２９】
本動作は、原則的には通信サーバ装置１０において実行される処理であり、予め記憶部１４０に各種のデータが記憶されているものとする。
【０２３０】
また、本動作においては、予めコミュニケーションアプリが実行されており、タッチ操作入力及びスライド操作入力の待機状態であるものとする。
【０２３１】
まず、投稿閲覧管理部１０５が、端末装置２０から送信されたコメントを含む掲示情報を受信すると（ステップＳ１０１）、受信した掲示情報を、該当するグループＩＤに対応付けつつ、ユーザＩＤ及び時刻情報とともに掲示情報記憶部１４７に記憶する（ステップＳ１０２）。
【０２３２】
次いで、キーワード抽出処理部１０６は、受信された掲示情報のコメントから基準キーワードを抽出するキーワード抽出処理を実行する（ステップＳ１０３）。
【０２３３】
特に、キーワード抽出処理部１０６は、受信されたコメントとともに、過去にコメントとして掲示された掲示情報（受信時から１日前までなど所定の期間内の掲示情報であってもよい。）を用いて所定の処理（言語処理）を実行して基準キーワードを抽出する。
【０２３４】
次いで、検索処理部１０７は、抽出された基準キーワードに基づいて検索キーワードを抽出するとともに、抽出した検索キーワードに用いて検索処理を実行し、検索結果を取得する（ステップＳ１０４）。
【０２３５】
具体的には、検索処理部１０７は、検索キーワードによって最上位に検出されたＷｅｂページの表題テキストを検索結果として取得し、取得した検索結果を、掲示情報記憶部１４７に既に記憶されている同一のグループＩＤに対応付けられた検索結果を含む検索履歴情報に追記して更新する。
【０２３６】
次いで、表示制御データ生成部１０８は、取得された検索結果に基づいて、第１表示領域及び第２表示領域を含む所与の画面構成を有する表示制御データを生成し（ステップＳ１０５）、生成した表示制御データを該当する端末装置に送信して（ステップＳ１０６）本動作を終了させる。
【０２３７】
［Ｂ］第２実施形態
次に、図６〜図８を用いて本願の表示制御システムの第２実施形態である画像表示制御システム２について説明する。
【０２３８】
［Ｂ１］画像表示制御システムの概要
まず、図６を用いて本実施形態の画像表示制御システム２の概要及び概要構成について説明する。なお、図６は、本実施形態の画像表示制御システム２の構成を示すシステム構成の一例を示す図である。
【０２３９】
また、本実施形態において、第１実施形態と同一の部材については、同一の符号を付してその説明を省略する。
【０２４０】
本実施形態の画像表示制御システム２は、第１実施形態のネットワークシステム１においてグループ毎にユーザが有する端末装置２０に対してそれぞれ掲示情報を表示する点に代えて、特定の領域に集合した複数のユーザに対して掲示情報を投影することによって表示することを特徴するシステムである。
【０２４１】
特に、本実施形態の画像表示制御システム２は、所定のエリアにおいて複数のユーザが集合して実行される会議などのイベントで用いるシステムであって、各ユーザのコメントに基づく検索処理を実行し、かつ、その検索結果を、例えば各ユーザにおいて視認可能に投影された投影領域など所定の画像出力領域に含まれる所定の表示領域に可視化して表示させ、ユーザ間のコメントや検索結果を共有するためのシステムである。
【０２４２】
そして、本実施形態の画像表示システムは、ユーザ間でのコメント内容におけるイメージを共有し、又は、新規なアイデアの着想させるため、ユーザのコメント（発話）がテキスト化されたコメントなどの表示テキストを、画像出力領域に含まれる第１表示領域に表示させるとともに、検索処理によって検索された検索結果を、画像出力領域に含まれる領域であって第１表示領域とは異なる第２表示領域に表示させる構成を有している。
【０２４３】
具体的には、画像表示制御システム２は、図６に示すように、会議室などのイベント会場に設置され、所定の画像出力領域に画像を表示する表示装置４０と、ユーザのコメントを受け付けて表示装置に所定の画像を出力するシステム制御装置５０と、情報提供サーバ装置３０と、から構成される。
【０２４４】
なお、本実施形態の画像表示制御システム２は、第１実施形態と同様に、複数の情報提供サーバ装置３０を有していてもよい。
【０２４５】
表示装置４０は、例えば、イベント会場の所定の位置であって、イベントに参加するユーザのコメントなどの表示テキストを、ユーザの実空間上の実在領域に関連させた位置に表示し、参加するユーザによって視認可能な位置に表示するための画像出力領域を形成し、当該形成した画像出力領域に、検索処理に基づいて取得された検索結果を、画像として、出力するための装置である。
【０２４６】
例えば、表示装置４０は、円卓などの円形状にユーザが実在している場合には、各ユーザの実在位置の近傍に第１表示領域を形成し、円卓の中央などの各ユーザの視線が自然と集まる領域に第２表示領域を形成するための画像を空間上に形成（投影す）するプロジェクターを有している。
【０２４７】
なお、ユーザの実空間上の実在領域に関連させた位置（表示領域）とは、例えば、ユーザが実在する空間の頭上の領域や左右の領域、又は、実在領域に対応して形成された位置
（表示領域）が含まれる。
【０２４８】
システム制御装置５０は、例えば、タブレット型情報端末装置、パーソナルコンピュータ、スマートフォン、又は、ゲーム機などの情報処理装置によって構成され、インターネット（ＷＡＮ）、ＬＡＮなどのネットワークを介して情報提供サーバ装置３０と接続可能な装置である。
【０２４９】
そして、システム制御装置５０は、ユーザのコメント（発話）をテキスト化し、当該テキスト化したコメントなどの表示テキストを、掲示情報として、画像出力領域に含まれる第１表示領域に表示させるとともに、検索処理によって検索された検索結果を、掲示情報として、画像出力領域に含まれる領域であって第１表示領域とは異なる第２表示領域に表示させる掲示情報表示制御処理を実行するための構成を有している。
【０２５０】
なお、システム制御装置５０は、１つの（装置、プロセッサ）で構成されていてもよいし、複数の（装置、プロセッサ）で構成されていてもよい。
【０２５１】
［Ｂ２］システム制御装置
次に、図７を用いて本実施形態のシステム制御装置５０について説明する。なお、図７は、本実施形態のシステム制御装置５０の機能ブロックを示す図である。また、本実施形態のシステム制御装置５０、図７の構成要素（各部）の一部を省略した構成としてもよい。
【０２５２】
コメント検出部５５０は、例えば、ユーザ毎に割り当てられた指向性の強い集音マイクとＡ／Ｄコンバータなどの処理回路によって構成されており、対応するユーザの発話を集音し、デジタル化した音データを出力する。
【０２５３】
例えば、本実施形態のコメント検出部５５０は、イベントに参加するユーザ毎に１の集音マイクを有し、各集音マイクから取得した音声信号（音声データ）をそれぞれ予め割り当てられたユーザのコメントとして取得する。
【０２５４】
入力部５６０は、管理者などのユーザが操作コマンドを入力するためのものであり、その機能は、タッチパネル、タッチパネル型ディスプレイ、トラックボール、キーボード、マウスなどにより実現できる。
【０２５５】
すなわち、入力部５６０は、例えば、タッチパネルなどのタッチ操作入力を実行するデバイスによって構成されている場合には、画像が表示される画面上における２次元の指示位置座標（ｘ，ｙ）を検出可能な検出部５６２を備えている。
【０２５６】
例えば、入力部５６０は、接触検出領域（タッチパネル）における、２次元の接触位置座標（ｘ，ｙ）を検出可能な検出部５６２を備えている。なお、本実施形態では、モニタ表示部５９０が入力部５６０として機能する。
【０２５７】
また、モニタ表示部５９０への接触操作は、指先を用いて行うようにしてもよいし、タッチペンなどの入力機器を用いて行うようにしてもよい。
【０２５８】
さらに、入力部５６０は、指示位置以外の操作情報（操作信号）を入力可能なボタンやレバー、ステアリング、マイク、加速度センサなどを備えていてもよい。
【０２５９】
記憶部５４０は、処理部５００や通信部５９６などのワーク領域となるもので、その機能はＲＡＭ（ＶＲＡＭ）などにより実現できる。なお、記憶部５４０に記憶される情報は
、データベースで管理してもよい。
【０２６０】
なお、本実施形態の記憶部５４０は、ワーク領域として使用される主記憶部５４２と、ユーザに関する情報を示すユーザ情報記憶部５４６と、掲示情報及び後述する検索処理によって検索された検索結果を検索履歴情報として記憶する掲示情報記憶部５４７と、及び、その他ゲーム演算に必要な各種の情報やコミュニケーションサービスを提供するために用いる辞書データなどの各種データが記憶されるデータ記憶部５４８と、を有している。
【０２６１】
なお、本実施形態におけるサービス情報記憶部５４４、ユーザ情報記憶部５４６、掲示情報記憶部５４７、及び、データ記憶部５４８は、それぞれ、第１実施形態におけるユーザ情報記憶部１４６、掲示情報記憶部１４７、及び、データ記憶部１４８と基本的な構成については同様であるため、特別に説明をしない限り第１実施形態と同様である。
【０２６２】
処理部５００は、記憶部５４０内の主記憶部５４２をワーク領域として各種処理を行う。処理部５００の機能は各種プロセッサ（ＣＰＵ、ＤＳＰ等）、ＡＳＩＣ（ゲートアレイ等）などのハードウェアや、プログラムにより実現できる。
【０２６３】
処理部５００は、情報記憶媒体５８０に格納されるプログラム（データ）に基づいて本実施形態の種々の処理を行う。即ち情報記憶媒体５８０には、本実施形態の各部としてコンピュータを機能させるためのプログラム（各部の処理をコンピュータに実行させるためのプログラム）が記憶される。
【０２６４】
例えば、処理部５００（プロセッサ）は、情報記憶媒体に記憶されているプログラムに基づいて、システム制御装置５０全体の制御を行うとともに、各部間におけるデータ等の受け渡しの制御などの各種の処理を行う。
【０２６５】
具体的には、本実施形態の処理部５００は、通信制御部５０１と、掲示情報表示制御処理を管理制御する掲示情報管理部５０５と、第１実施形態と同様のキーワード抽出処理を実行するキーワード抽出処理部５０６と、第１実施形態と同様の検索処理を実行する検索処理部５０７と、掲示情報の表示制御処理を実行する表示制御部５０８と、描画部５２０と、音処理部５３０とを含む。また、これらの一部を省略する構成としてもよい。
【０２６６】
なお、例えば、本実施形態の掲示情報管理部５０５は、本発明の受付手段を構成し、キーワード抽出処理部５０６は、本発明の抽出手段を構成する。また、例えば、本実施形態の検索処理部５０７は、本発明の検索手段を構成し、表示制御部５０８は、本発明の表示制御手段、演出制御手段及び選択制御手段を構成する。
【０２６７】
掲示情報管理部５０５は、イベントに参加するユーザ毎に、記憶部５４０内に形成された掲示記憶領域を割り当てて、掲示情報の表示に関する管理を実行する。
【０２６８】
特に、掲示情報管理部５０５は、コメント検出部５５０にコメントされた音声（発話された音声、例えば、コメント）やテキストなどのテキスト化したデータをコメントデータとして受け付けて、当該受け付けたコメントデータに基づいて掲示情報表示制御処理の実行を管理制御する。
【０２６９】
キーワード抽出処理部５０６は、第１実施形態のキーワード抽出処理部１０６と同様であり、入力されたコメントデータについて所与の処理（具体的には、各種の言語処理）を実行してコメントに含まれるキーワードや画像特徴量などのコメントの特徴部分を抽出する。
【０２７０】
なお、本実施形態のキーワード抽出処理部５０６は、第１実施形態のキーワード抽出処理部１０６と同様であるためその説明を省略する。
【０２７１】
検索処理部５０７は、第１実施形態の検索処理部１０７と同様であり、抽出されたキーワードや画像特徴量などの特徴部分に基づいて、所与のネットワーク上にアクセス可能に記憶されているデータを検索する検索処理を実行する。
【０２７２】
なお、本実施形態の検索処理部５０７は、第１実施形態の検索処理部１０７と同様であるためその説明を省略する。
【０２７３】
表示制御部５０８は、受け付けられたコメント、当該コメントの一部及び抽出されたキーワードの中から少なくとも１の表示テキストを表示装置４０に表示させる表示制御処理を実行する。
【０２７４】
描画部５２０は、処理部５００で行われる種々の処理（掲示情報表示制御処理）の結果に基づいて描画処理を行い、これにより画像を生成し、表示部（ディスプレイ）５９０（すなわち、タッチパネル１２）に出力する。
【０２７５】
音処理部５３０は、処理部５００で行われる種々の処理の結果に基づいて音処理を行い、ＢＧＭ、効果音、又は音声などのゲーム音を生成し、音出力部５９２に出力する。
【０２７６】
［Ｂ３］本実施形態の手法
［Ｂ３．１］概要
次に、本実施形態の手法（掲示情報表示制御処理）の概要について説明する。
【０２７７】
本実施形態のシステム制御装置５０は、会議室などの特定の領域において実行されるイベントに参加する複数のユーザ間で掲示情報を共有して当該ユーザ間のコミュニケーションをサポートするサービスを提供する構成を有している。
【０２７８】
特に、本実施形態のシステム制御装置５０は、例えば、テレビ会議やネットワークを用いた会議を含む画像を利用した会議システムなどの会議中のコミュニケーションツールとして用いるとともに、ユーザのコメントに関する画像や当該コミュニケーションにおいて話題となっているトピックに関する画像を表示することによって、ユーザ間でのコメント内容におけるイメージを共有し、又は、新規なアイデアの着想を提供することが可能な構成を有している。
【０２７９】
具体的には、システム制御装置５０は、
（１）入力されたユーザのコメントをコメントデータとして受け付けると、
（２）受け付けたコメントデータについて所与の処理（具体的には各種の言語処理）を実行してコメントに含まれるキーワードや画像特徴量などの特徴部分を抽出し、
（３）抽出したキーワードや画像特徴量などの特徴部分に基づいて、所与のネットワーク上にアクセス可能に記憶されているデータ（具体的には、情報提供サーバ装置３０にＵＲＬに対応付けて記憶されているテキスト、画像、音などのコンテンツのデータ）を検索する検索処理を実行し、
（４）受け付けたコメントデータにおけるコメント（すなわち、テキスト化されたコメント、以下同じ。）、当該コメントの一部及び前記抽出されたキーワードの中から少なくとも１の表示テキストを、掲示情報として、実空間上の投影領域に形成された第１表示領域に表示させるとともに、検索処理によって検索された検索結果を、掲示情報として、第１表示領域とは異なる領域であって、実空間上の投影領域に形成された第２表示領域に表示させる、
構成を有している。
【０２８０】
例えば、システム制御装置５０は、表示テキストを、当該表示テキストとしてのコメントを入力したユーザ、又は、当該表示テキストとしてのキーワードが抽出された際の抽出の対象となったコメントを入力したユーザの頭上や左右の領域などの実空間上の実在領域に関連させた第１表示領域に投影することによって表示させる構成を有している。
【０２８１】
なお、システム制御装置５０は、表示テキストや検索結果を、第１表示領域上や第２表示領域上の固定された位置に固定表示してもよいし、会議室の円卓の中央などの領域に全ユーザが容易に視認可能に浮遊されているような動きのある表示を実行してもよい。
【０２８２】
この構成により、本実施形態においては、第１実施形態と同様に、ユーザのコメントだけでなく、それに基づいて検索された結果を当該ユーザのコメントなどとともに掲示情報として表示し、それをユーザ間のコミュニケーションとして利用することができるので、当該コミュニケーションを活性化させ、かつ、当該コミュニケーションにおけるサポートを実現することができるようになっている。
【０２８３】
したがって、本実施形態においては、第１実施形態と同様に、新規なトピックを提供し、又は、話題として挙がっているトピックを発展させるなど、コミュニケーションにおけるユーザの興趣性を高め、かつ、当該コミュニケーションの利用に関するモチベーションを高めることができるようになっている。
【０２８４】
この結果、本実施形態においては、第１実施形態と同様に、ユーザ間のコミュニケーションの活性化を図り、かつ、当該コミュニケーションのサポートを実現することができるようになっている。
【０２８５】
なお、本実施形態の以下の説明については、第１実施形態と同様に、コメントデータの特徴部分としてキーワードを抽出する場合を主に用いて説明する。
【０２８６】
［Ｂ３．２］掲示情報表示制御処理
次に、図８を用いて本実施形態のシステム制御装置５０によって実行される掲示情報表示制御処理について説明する。なお、図８は、本実施形態のシステム制御装置５０によって実行される掲示情報表示制御処理について説明するための図であり、表示装置４０によって表示される掲示情報と実空間の掲示領域の関係の例を示す図である。
【０２８７】
（掲示情報表示制御の原理）
掲示情報管理部５０５は、コメント検出部５５０から出力されたコメントデータや画像（静止画や動画）のデータを含む掲示情報をデータとして管理し、当該コメント（すなわち、掲示情報）を、特定の領域において実行されるイベントに参加する複数のユーザに認識可能に表示させるための制御を実行する。
【０２８８】
特に、掲示情報管理部５０５は、ユーザＩＤに対応付けて各ユーザのコメントや当該各ユーザから入力されたテキストを受け付けるとともに、ユーザＩＤとともに、掲示情報と掲示時刻（又は受信時刻）を示す時刻情報を、掲示情報記憶部５４７に記憶する。
【０２８９】
また、キーワード抽出処理部５０６は、時系列に記憶された各掲示情報に含まれるコメントから、ユーザ間において話題となっているトピックや重要なコメントに関するワードを、キーワードとして抽出するキーワード抽出処理を実行する。
【０２９０】
そして、検索処理部５０７は、当該抽出したキーワードに基づいて情報提供サーバ装置
３０に記憶されるＷｅｂページを検索する検索処理を実行する。
【０２９１】
さらに、表示制御部５０８は、コメントを入力したユーザ（すなわち、基準ユーザ）に起因する掲示情報が表示される第１表示領域（すなわち、基準ユーザ用第１表示領域）と、他のユーザの入力に起因する掲示情報が表示される第１表示領域（すなわち、他ユーザ用第１表示領域）と、掲示情報としての検索結果が表示される第２表示領域と、を有する画像（すなわっち、コミュニケーション画像）を、実空間上の投影領域に表示させるための表示制御処理を実行する。
【０２９２】
なお、本実施形態においては、キーワード抽出処理及び検索処理は、上述のように、第１実施形態と同様な処理を実行するので、その説明は省略する。
【０２９３】
また、実空間に対する掲示情報の表示制御としては、仮想空間にマーキングして所定のデバイスを用いて実空間上に存在するように認識可能にする拡張現実（ＡＲ）を用いた場合も含まれる。
【０２９４】
（表示制御処理）
表示制御部５０８は、コメントを入力したユーザに起因する掲示情報（具体的には、ユーザによって入力されたコメント、基準キーワード又は検索キーワード）を実空間上の投影領域に形成された第１表示領域に表示させるとともに、検索処理によって検索された検索結果を、実空間上の投影領域に形成された第２表示領域に表示させる表示制御処理を実行する。
【０２９５】
そして、表示制御部５０８は、ユーザの入力に起因する掲示情報（すなわち、ユーザ掲示情報）を、当該掲示情報を入力したユーザに（すなわち、コメントを入力したユーザに、又は、当該掲示情報としてのキーワードが抽出された際の抽出の対象となったコメントを入力したユーザに）に対応付けて第１表示領域に表示させる。
【０２９６】
特に、表示制御部５０８は、第１実施形態と同様に、
（Ａ）ネットワーク上（具体的には情報提供サーバ装置３０上）にデータとして記憶されているテキスト、
（Ｂ）ネットワーク上にデータとして記憶されている画像、及び、
（Ｃ）検索結果に基づいて予めデータベースに記憶された画像の中から選択された画像（いわゆるスタンプ画像であって静止画であっても動画であってもよい。）、
の少なくともいずれかを、当該検索結果として、第２表示領域に表示させる。
【０２９７】
具体的には、表示制御部５０８は、第１実施形態と同様に、基準ユーザの入力に起因する掲示情報が表示される基準ユーザ用第１表示領域と、他のユーザの入力に起因する掲示情報が表示される他ユーザ用第１表示領域と、検索結果が表示される第２表示領域と、を有するコミュニケーション画像を、実空間上の投影領域に表示させる。
【０２９８】
例えば、表示制御部５０８は、第１実施形態と同様に、
（１）ユーザＩＤ、及び、時刻情報に対応付けられたユーザ掲示情報（基準ユーザ用及び他ユーザ用を含む。）と、
（２）検索時刻情報及び検索結果であることを示す種別情報に対応付けられた検索結果の掲示情報（すなわち、検索結果掲示情報）と、
（３）基準ユーザ用第１表示領域、他ユーザ用第１表示領域及び第２表示領域の画面構成を制御する画面構成制御情報と、
（４）各表示領域に該当する掲示情報を表示させるとともに、時刻情報に基づいて各表示領域に該当する掲示情報を時系列に表示させる表示制御情報と、
に基づいて、上記の表示制御処理を実行する。
【０２９９】
特に、表示制御部５０８は、第１実施形態と同様に、検索結果が複数ある場合には、複数の画像を第２表示領域に表示させるための制御情報、複数の画像を合成した合成画像（複数の画像が重畳された画像やそれらを並べた画像）を表示させるための画面構成制御情報を生成してもよい。
【０３００】
また、表示制御部５０８は、第１実施形態と同様に、基準ユーザ用第１表示領域、他ユーザ用第１表示領域及び第２表示領域を、端末装置２０の画面サイズに合わせ、かつ、当該端末装置２０の画面上の予め定められた領域に配置するための画面構成制御情報を生成してもよいし、当該画面サイズに合わせ、かつ、第１表示領域をメインコンテンツとして表示するための領域、第２表示領域をメインコンテンツの背景として表示するための画面構成制御情報を生成してもよい。
【０３０１】
上記に加えて、表示制御部５０８は、第１実施形態と同様に、検索結果について再度検索可能にする表示制御情報を生成してもよい。
【０３０２】
また、表示制御部５０８は、原則、時系列に従って掲示情報を表示するための表示制御情報を生成するが、検索処理によって検索された検索時刻から所定の時間経過後にコメントや検索結果などの掲示情報の表示をキャンセルし、小さくし、又は、奥行きのある表示を行う場合には、遠くに表示する表示制御処理を実行してもよい。
【０３０３】
さらに、表示制御部５０８は、第１実施形態と同様に、以前に検索された検索結果（すなわち、検索履歴に含まれ検索結果）と同一の検索結果が得られた場合には、当該検索結果について特別な表示制御を実行する。
【０３０４】
また、表示制御部５０８は、第１実施形態と同様に、掲示情報の実際の表示においては、ユーザ毎に割当てられた領域に表示するだけでなく、単一の領域にユーザＩＤやニックネームなどのユーザを特定する表示とともに、表示する場合など、各ユーザに関連するような形によって表示するための表示制御情報を生成してもよい。
【０３０５】
（掲示情報表示制御処理の例）
例えば、図７に示すように、ユーザＡ、ユーザＢ及びユーザＣにおいて、実空間上の所定の会議室でイベントとして「新作ゲームの名称を決定するため」の会議を実行している場合を想定する。
【０３０６】
そして、ユーザＡによる「新作ゲームのタイトルを決めよう」のコメント、ユーザＢによる「学園ものなので『学校へ行こう』は？」のコメント、及び、ユーザＣによる「でも、『ソフト部』なので」のコメントが、順次、それぞれのユーザに割り当てられたコメント検出部（マイク）５５０によって集音されてテキスト化された場合を想定する。
【０３０７】
この場合において、キーワード抽出処理部５０６は、ユーザＢのコメントから「学校へ行こう」のキーワードを抽出し、ユーザＣのコメントから「ソフト部」のキーワードを抽出する。
【０３０８】
そして、検索処理部５０７は、「学校へ行こう」のキーワードを基準キーワードとして特定しつつ、その同音異義語である「学校閉校」を検索キーワードに設定し、都立高校の閉校一覧の検索結果を取得する。
【０３０９】
また、検索処理部５０７は、「ソフト部」のキーワードを基準キーワードとして特定し
つつ、その同音異義語である「祖父飛ぶ」を検索キーワードに設定し、祖父が飛んでいる画像を検索結果として取得する。
【０３１０】
そして、表示制御部５０８は、図７に示すように、実空間上の所定の領域（紙面中央、紙面に向かって左側又は紙面向かって右側）に、ユーザＡの第１領域Ａ５１、ユーザＢの第１領域Ｂ５２、及び、ユーザＣの第１領域Ｃ５３に、図示しない表示装置４０の一部（プロジェクター）にテキスト化した各ユーザのコメントを表示しつつ、検索結果を、円卓の中心の上方の領域に表示装置Ｂ４０を用いて表示させる。
【０３１１】
［Ｂ３．３］変形例
本実施形態においては、第１実施形態と同様に、例えば、掲示情報の提供中に、検索処理によって検索された検索結果に基づいて音の演出を実行する演出制御（すなわち、音演出制御）が実行されてもよい。
【０３１２】
また、本実施形態においては、表示制御データに検索結果を検索キー（基準キーワード及び検索キーワード）として再検索を実行し、実行して得られた結果を第２表示領域に表示する検索結果に基づく再検索処理を実行してもよい。
【０３１３】
さらに、本実施形態においては、第１実施形態と同様に、同一検索結果に基づく特別表示制御を実行してもよい。
【０３１４】
上記に加えて、第１実施形態と同様に、画像データをコメントデータとして受け付けるとともに、当該画像データに対応付けられたキーワードを抽出してもよいし、特定のオブジェクトや画像の色特徴量など当該画像データの特徴部分を抽出し、抽出した特徴部分に基づいて一致又は類似する特徴部分を有する画像データを検索結果として端末装置２０表示させてもよい。
【０３１５】
［Ｂ４］本実施形態における動作
本実施形態のシステム制御装置５０によって実行される表示制御処理の動作においては、第１実施形態のグループ管理、及び、表示制御データに基づく表示制御処理に代えて、イベントに参加しているユーザに提供する点及び表示装置４０によって実空間上に投影する点を除き、同一であるため、その説明を省略する。
【０３１６】
［Ｂ５］その他
本発明は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
本実施形態では、ＲＰＧのゲームの操作入力として説明しているが、対戦型ゲーム又はシミュレーションゲームなどの他のゲームにおいても用いることがきる。
【０３１７】
また、本実施形態は、一の通信サーバ装置１０によって各ゲームを端末装置２０に提供してもよいし、複数の通信サーバ装置１０を連動させてサーバシステムを構築し、各ゲームを端末装置２０に提供してもよい。
【０３１８】
また、本実施形態においては、通信サーバ装置１０によって提供されたゲームを端末装置２０によって実行されているが、タッチ検出処理部２１１を除き、上記の端末装置２０の処理部２００の各機能及びゲームプログラムの実行を通信サーバ装置１０で実行し、当該端末装置２０は、操作入力とストリーミングによる画像表示を実行することによって、上記のゲームを実現してもよい。
【０３１９】
また、本実施形態においては、ゲーム装置に本発明の端末装置を適用しているが、ゲーム装置に限らず、スマートフォン、タブレット型情報端末装置、パーソナルコンピュータ，モニタ又はテレビなどのタッチパネルを用いて操作入力を実行可能な端末装置であれば、本発明の端末装置を提供することができる。
【０３２０】
また、本実施形態においては、タッチパネルに代えて、十字キーを備えたゲームコントローラ、トラックボールを備えたキーボード、又は、ジョイスティックなどの方向操作を行う事が可能な操作手段を用いることによって実現することができる。
【０３２１】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【０３２２】
上記のように、本発明の実施形態について詳細に説明したが、本発明の新規事項及び効果から実体的に逸脱しない多くの変形が可能であることは当業者には容易に理解できるであろう。したがって、このような変形例はすべて本発明の範囲に含まれるものとする。
【符号の説明】
【０３２３】
１０  …  サーバ装置
２０  …  端末装置
２００  …  処理部
１０１  …  通信制御部
１０２  …  Ｗｅｂ処理部
１０３  …  掲示情報投稿閲覧制御部
１０４  …  ゲーム管理部
１０５  …  投稿閲覧管理部
１０６  …  キーワード抽出処理部
１０７  …  検索処理部
１０８  …  表示制御データ生成部
１４０  …  記憶部
１４２  …  主記憶部
１４４  …  サービス情報記憶部
１４６  …  ユーザ情報記憶部
１４７  …  掲示情報記憶部
１４８  …  データ記憶部
１７０  …  入力部
１８０  …  情報記憶媒体
１９０  …  表示部
１９６  …  通信部
２００  …  処理部
２１１  …  タッチ検出処理部
２１２  …  表示制御部
２１３  …  アプリケーション実行部
２２０  …  描画部
２３０  …  音処理部
２６０  …  入力部
２６２  …  検出部
２７０  …  記憶部
２７１  …  主記憶部
２７２  …  画像バッファ
２７３  …  ユーザ情報記憶部
２７４  …  データ記憶部
２８０  …  情報記憶媒体
２９０  …  表示部
２９２  …  音出力部
２９６  …  通信部
５００  …  処理部
５０１  …  通信制御部
５０５  …  掲示情報管理部
５０６  …  キーワード抽出処理部
５０７  …  検索処理部
５０８  …  表示制御部
５２０  …  描画部
５３０  …  音処理部
５４０  …  記憶部
５４２  …  主記憶部
５４４  …  サービス情報記憶部
５４６  …  ユーザ情報記憶部
５４７  …  掲示情報記憶部
５４８  …  データ記憶部
５５０  …  コメント検出部
５６０  …  入力部
５６２  …  検出部
５８０  …  情報記憶媒体
５９０  …  モニタ表示部
５９２  …  音出力部
５９６  …  通信部
【図１】
2019087138.tif 000003
【図２】
2019087138.tif 000004
【図３】
2019087138.tif 000005
【図４】
2019087138.tif 000006
【図５】
2019087138.tif 000007
【図６】
2019087138.tif 000008
【図７】
2019087138.tif 000009
【図８】
2019087138.tif 000010